(57)【要約】【課題】より不都合の少ない新規な構成のリング装着装置を提供する。【解決手段】本発明のリング装着装置は、例えば、支持部と、スタック部と、受け壁と、第１のカバーと、可動部と、押圧部と、を備える。前記支持部は、棒状部材を支持する。前記スタック部は、第１の方向に延びてリングを支持するレールと、前記第１の方向における第１の端部及び第２の端部とを有する。前記受け壁は、前記第１の端部に設けられて前記リングを支持する。前記第１のカバーは、前記レールの一部を覆う。前記可動部は、移動可能に設けられ、前記受け壁に支持された前記リングを押す押部を有する。前記押圧部は、前記レールの、前記第１のカバーの外に位置する第２の部分を少なくとも覆う第２のカバーと、前記第２のカバーに取り付けられ、前記レールに支持された前記リングを前記受け壁に向かって押す付勢部と、を有し、前記スタック部に取り外し可能に取り付けられる。【選択図】図１
2017193042.tif 000002
【特許請求の範囲】
【請求項１】
弧状に延びる弧状部を有するとともに当該弧状部の周方向の両端部が互いに面した隙間が設けられたリングを、棒状部材の外周に沿って設けられた溝に装着するリング装着装置であって、
前記棒状部材を支持する支持部と、
第１の方向に延びて前記リングを支持するレールと、前記第１の方向における第１の端部と、前記第１の端部の反対側に位置する第２の端部と、を有するスタック部と、
前記第１の端部に設けられて前記リングを支持する受け壁と、
前記レールの一部を覆う第１のカバーと、
前記支持部と相対的に移動可能に設けられ、前記棒状部材が前記隙間を通るように前記受け壁に支持された前記リングを前記棒状部材の軸方向との交差方向に押す押部を有する可動部と、
前記レールの、前記第１のカバーに覆われた第１の部分と、前記第１のカバーの外に位置するとともに前記第１の部分よりも前記第２の端部に近い第２の部分と、のうち少なくとも前記第２の部分を覆う第２のカバーと、前記第２のカバーに取り付けられ、前記レールに支持された前記リングを前記受け壁に向かって押す付勢部と、を有し、前記スタック部に取り外し可能に取り付けられた押圧部と、
を具備するリング装着装置。
【請求項２】
前記レールは、前記第１の方向に延びるとともに、前記第１の方向と交差する第２の方向に突出し、前記隙間に挿入されることで前記リングを支持する、ガイドを有し、
前記第２のカバーは、少なくとも前記第２の方向から前記第２の部分を覆う、
請求項１のリング装着装置。
【請求項３】
前記第２のカバーに、前記第１の方向に開口する収容口が設けられ、
前記第２の部分は、前記収容口に収容されて前記第２のカバーに覆われる、
請求項１又は請求項２のリング装着装置。
【請求項４】
前記スタック部に、第１の嵌合部が設けられ、
前記押圧部に、前記第１の嵌合部に嵌ることで前記押圧部が前記スタック部に取り付けられた状態にし、第３の方向に移動させられ、前記第３の方向に移動させられた状態から前記第３の方向と交差する第４の方向に移動させられることで、前記第１の嵌合部から外れ、前記押圧部を前記スタック部から取り外し可能な状態にする、第２の嵌合部が設けられる、
請求項１乃至請求項３のいずれか一つのリング装着装置。
【請求項５】
前記第２の嵌合部は、前記第２のカバーに対して前記第４の方向に移動可能に当該第２のカバーに接続され、前記第２のカバーとともに前記第３の方向に移動させられ、前記第３の方向に移動させられた状態から前記第２のカバーに対して前記第４の方向に移動させられることで、前記第１の嵌合部から外れ、前記押圧部を前記スタック部から取り外し可能な状態にする、請求項４のリング装着装置。
【請求項６】
前記第２のカバーは、前記第２の部分に向く内面と、前記内面の反対側に位置する外面と、を有し、前記内面から前記外面に亘る開口が設けられ、
前記第２の嵌合部は、前記外面と同一面を形成し又は前記外面よりも前記第２の部分に近く、前記第２のカバーに対して前記第４の方向に移動可能な、表面を有する、
請求項５のリング装着装置。
【請求項７】
前記レールは、前記第１の方向に延びる第１の部材と、前記第１の方向に延びる第２の部材と、を有し、前記第１の部材の一部と前記第２の部材の一部とが前記隙間に挿入されることで前記リングを支持し、
前記スタック部は、前記第１の部材と前記第２の部材とを接続する接続部材を有し、
前記第１の嵌合部は、前記接続部材に設けられる、
請求項４乃至請求項６のいずれか一つのリング装着装置。
【請求項８】
前記第１の部材は、前記第１の方向に延びる第１の基部と、前記第１の基部に接続され、前記第１の方向と交差する第５の方向に突出するとともに前記隙間に挿入される第１の挿入部と、を有し、
前記第２の部材は、前記第１の方向に延びる第２の基部と、前記第２の基部に接続され、前記第１の挿入部と前記棒状部材の周方向に隙間を介して並べられ、前記第５の方向に突出するとともに前記隙間に挿入される第２の挿入部と、を有し、
前記接続部材は、前記第１の方向に延びるとともに前記第１の基部に取り付けられた第１の取付壁と、前記第１の方向に延びるとともに前記第２の基部に取り付けられた第２の取付壁と、前記第１の取付壁と前記第２の取付壁とを接続する接続壁と、を有し、
前記第１の嵌合部は、前記接続壁に設けられる、
請求項７のリング装着装置。
【請求項９】
前記付勢部は、前記第２のカバーから前記第１の方向に延びるロッドと、前記ロッドに沿って移動可能な移動部材と、前記第２のカバーと前記移動部材との間に位置して前記移動部材を前記受け壁に向かって押す付勢部材と、を有し、
前記移動部材は、前記ロッドが通される孔が設けられた挿通部と、前記挿通部から前記受け壁に向かって延び、前記レールに支持された前記リングに接触する接触部と、を有する、
請求項１乃至請求項８のいずれか一つのリング装着装置。
【請求項１０】
前記付勢部は、前記第２のカバーに固定されて前記第１の方向に延びるロッドと、前記ロッドに沿って移動可能な移動部材と、前記第２のカバーと前記移動部材との間に位置して前記移動部材を前記受け壁に向かって押す付勢部材と、を有し、
前記スタック部に、第１の嵌合部が設けられ、
前記押圧部に、前記第１の方向と交差する第６の方向に弾性的に移動可能であり、前記第１の方向から前記スタック部に押されることで前記第６の方向における弾性的な移動を伴って前記第１の嵌合部に嵌り、当該第１の嵌合部に嵌ることで前記押圧部が前記スタック部に取り付けられた状態にする、第２の嵌合部が設けられる、
請求項１のリング装着装置。
【請求項１１】
前記スタック部は、前記第１の方向と交差する第７の方向に移動可能な係合部を有し、
前記第２のカバーに、前記係合部が挿通可能な第１の孔が設けられ、
前記係合部は、前記第１の孔に挿通されることで前記押圧部が前記スタック部に取り付けられた状態にするとともに、前記押圧部が前記スタック部に取り付けられたときに前記第１の孔から前記第２のカバーの外部に突出するよう構成された、
請求項２又は請求項３のリング装着装置。
【請求項１２】
前記スタック部は、前記係合部を前記レールから前記第７の方向に遠ざかるように押すよう構成された係合付勢部を有し、
前記係合部は、支持面と、前記支持面に接続された第１の傾斜面と、を有し、
前記支持面は、前記押圧部が前記スタック部に取り付けられたときに前記第１の孔を形成する前記第２のカバーの第１の縁部に接触するとともに、前記押圧部が前記スタック部の前記第１の端部から前記第１の方向に離間しようとするときに前記第２のカバーの前記第１の縁部を支持するよう構成され、
前記第１の傾斜面は、前記押圧部が前記スタック部に取り付けられたときに、少なくとも部分的に前記第２のカバーの外部に位置するよう構成され、前記第２のカバーの前記第１の縁部に接触するときに、前記係合部が前記係合付勢部によって押されることで、前記第２のカバーが前記スタック部の前記第１の端部へ前記第１の方向に近づくように前記第１の縁部を押すよう構成された、
請求項１１のリング装着装置。
【請求項１３】
前記係合部は、第２の傾斜面を有し、
前記第２のカバーは、前記押圧部が前記スタック部から取り外されるとともに当該第２のカバーが前記係合部よりも前記スタック部の前記第１の端部から前記第１の方向に離間した状態から、前記スタック部の前記第１の端部へ前記第１の方向に近づくとき、前記係合部が前記レールへ前記第７の方向に近づくように前記第２の傾斜面を押すよう構成された、
請求項１２のリング装着装置。
【請求項１４】
前記スタック部は、前記レールが前記第２の方向に突出する基部と、前記基部の前記レールとは反対側に位置して前記基部に取り付けられた第３のカバーと、を有し、
前記第３のカバーは、前記押圧部が前記スタック部に取り付けられた状態で前記第２のカバーに面する第１の面と、前記第１の面と前記第２の端部とを接続する第２の面と、を有し、前記第１の面に、前記押圧部が前記スタック部に取り付けられた状態で前記第１の孔と重なる第２の孔が設けられ、
前記第１の面は、前記第１の方向及び前記第７の方向において前記第２の端部から離間し、
前記第２の面は、前記第１の方向において前記第２の端部から前記第１の端部に向かうに従って前記第７の方向において前記第１の面に近づくよう延び、
前記係合部は、少なくとも部分的に前記第３のカバーに収容されるとともに、突出位置と、収容位置との間で前記第７の方向に移動可能であり、前記突出位置において、前記支持面が前記第３のカバーの外部に位置するように前記第２の孔から前記第３のカバーの外部に突出するとともに前記第３のカバーに支持されるよう構成され、前記収容位置において、前記支持面が前記第３のカバーの内部に位置するよう構成された、
請求項１３のリング装着装置。
【請求項１５】
前記第２のカバーは、前記第１の孔が設けられて前記第７の方向から前記スタック部の少なくとも一部を覆うよう構成された第１の壁と、前記スタック部の前記第１の壁とは反対側に設けられて前記第７の方向から前記スタック部の少なくとも一部を覆うよう構成された第２の壁と、前記スタック部の前記第１の壁とは反対側に設けられて前記第７の方向において前記第２の壁よりも前記スタック部に近い位置で前記スタック部に面する第３の壁と、を有する、
請求項１４のリング装着装置。
【請求項１６】
前記スタック部と、前記支持部及び前記可動部との少なくとも一方とを、互いに回動可能に接続する回転軸、をさらに具備し、
前記第１の方向において、前記係合部と前記第２の端部との間の距離は、前記係合部と前記回転軸との間の距離よりも長い、
請求項１５のリング装着装置。
【請求項１７】
前記第２の壁は、前記第１の方向において前記第１の端部に向く第２の縁部を有し、
前記第１の壁は、前記第１の方向において前記第１の端部に向くとともに前記第２の縁部よりも前記第１の端部に近い、第３の縁部を有する、
請求項１５又は請求項１６のリング装着装置。
【請求項１８】
前記係合付勢部は、金属によって作られたバネを有する、請求項１２乃至請求項１７のいずれか一つのリング装着装置。
【発明の詳細な説明】
【技術分野】
【０００１】
本発明は、リング装着装置に関する。
【背景技術】
【０００２】
従来、棒状部材に設けられた溝にリングを装着するリング装着装置が知られている（例えば、特許文献１）。
【先行技術文献】
【特許文献】
【０００３】
【特許文献１】特許第２９８４５７６号公報
【発明の概要】
【発明が解決しようとする課題】
【０００４】
この種のリング装着装置では、溝にリングを装着する作業においてより不都合の少ない新規な構成のリング装着装置が得られれば、有意義である。
【課題を解決するための手段】
【０００５】
本発明のリング装着装置は、例えば、弧状に延びる弧状部を有するとともに当該弧状部の周方向の両端部が互いに面した隙間が設けられたリングを、棒状部材の外周に沿って設けられた溝に装着するリング装着装置であって、支持部と、スタック部と、受け壁と、第１のカバーと、可動部と、押圧部と、を備える。前記支持部は、前記棒状部材を支持する。前記スタック部は、第１の方向に延びて前記リングを支持するレールと、前記第１の方向における第１の端部と、前記第１の端部の反対側に位置する第２の端部と、を有する。前記受け壁は、前記第１の端部に設けられて前記リングを支持する。前記第１のカバーは、前記レールの一部を覆う。前記可動部は、前記支持部と相対的に移動可能に設けられ、前記棒状部材が前記隙間を通るように前記受け壁に支持された前記リングを前記棒状部材の軸方向との交差方向に押す押部を有する。前記押圧部は、前記レールの、前記第１のカバーに覆われた第１の部分と、前記第１のカバーの外に位置するとともに前記第１の部分よりも前記第２の端部に近い第２の部分と、のうち少なくとも前記第２の部分を覆う第２のカバーと、前記第２のカバーに取り付けられ、前記レールに支持された前記リングを前記受け壁に向かって押す付勢部と、を有し、前記スタック部に取り外し可能に取り付けられる。
【発明の効果】
【０００６】
本発明によれば、より不都合の少ない新規な構成のリング装着装置が得られる。
【図面の簡単な説明】
【０００７】
【図１】図１は、第１の実施形態に係るリング装着装置を示す例示的な斜視図である。
【図２】図２は、第１の実施形態のリング装着装置の一部と、棒状部材の一部と、リングとを示す例示的な斜視図である。
【図３】図３は、第１の実施形態のリング装着装置を示す例示的な断面図である。
【図４】図４は、第１の実施形態のスタック部を示す例示的な斜視図である。
【図５】図５は、第１の実施形態のスタック部及びプッシャを、スタック部の一部及びプッシャの一部を除いて示す例示的な斜視図である。
【図６】図６は、第１の実施形態のスタック部を、スタッカを除いて示す例示的な斜視図である。
【図７】図７は、第１の実施形態のプッシャを示す例示的な断面図である。
【図８】図８は、第１の実施形態のプッシャの一部を示す例示的な断面図である。
【図９】図９は、第１の実施形態の棒状部材を概略的に示す例示的な斜視図である。
【図１０】図１０は、第１の実施形態のリングを概略的に示す例示的な正面図である。
【図１１】図１１は、第１の実施形態のプッシャが取り外されたリング装着装置を示す例示的な側面図である。
【図１２】図１２は、第１の実施形態のリング装着装置の一部と、棒状部材の一部と、リングとを拡大して示す例示的な断面図である。
【図１３】図１３は、第１の実施形態のリング装着装置の一部と、保持された棒状部材の一部と、リングとを示す例示的な斜視図である。
【図１４】図１４は、第１の実施形態のリング装着装置の一部と、保持された棒状部材の一部と、リングとを示す例示的な正面図である。
【図１５】図１５は、第１の実施形態のリング装着装置の一部と、保持された棒状部材の一部と、リングとを示す例示的な断面図である。
【図１６】図１６は、第１の実施形態のリング装着装置の一部と、棒状部材の一部と、移動させられたリングとを示す例示的な正面図である。
【図１７】図１７は、第１の実施形態のリング装着装置の一部と、棒状部材の一部と、挿入途中のリングとを示す例示的な正面図である。
【図１８】図１８は、第１の実施形態のリング装着装置の一部と、棒状部材の一部と、挿入途中のリングとを示す例示的な断面図である。
【図１９】図１９は、第１の実施形態のリング装着装置の一部と、棒状部材の一部と、装着されたリングとを示す例示的な正面図である。
【図２０】図２０は、第１の実施形態のリング装着装置の一部と、棒状部材の一部と、装着されたリングとを示す例示的な断面図である。
【図２１】図２１は、第２の実施形態に係るリング装着装置を示す例示的な斜視図である。
【図２２】図２２は、第２の実施形態のリング装着装置を示す例示的な断面図である。
【図２３】図２３は、第２の実施形態のスタック部及びプッシャを、スタック部の一部及びプッシャの一部を除いて示す例示的な斜視図である。
【図２４】図２４は、第２の実施形態のリング装着装置を、図２２のＦ２４−Ｆ２４線に沿って示す例示的な断面図である。
【図２５】図２５は、第２の実施形態のスタック部の一部及びプッシャの一部を示す例示的な断面図である。
【図２６】図２６は、第２の実施形態のスタック部の一部と、スタック部に対して取り付け又は取り外し途中のプッシャの一部とを示す例示的な断面図である。
【図２７】図２７は、第２の実施形態のプッシャを示す例示的な断面図である。
【図２８】図２８は、第２の実施形態のスタック部の一部と、スタック部から取り外し途中のプッシャの一部とを示す例示的な断面図である。
【図２９】図２９は、第２の実施形態の変形例に係るリング装着装置を示す例示的な側面図である。
【発明を実施するための形態】
【０００８】
以下に、第１の実施の形態について、図１乃至図２０を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施形態に係るリング装着装置１０を示す例示的な斜視図である。図２は、第１の実施形態のリング装着装置１０の一部と、棒状部材１１の一部と、リング１２とを示す例示的な斜視図である。
【００１０】
図２は、リング１２を示すため、リング装着装置１０の一部を省略して示す。他の幾つかの図面においても、同じ理由でリング装着装置１０の一部が省略される。また、図１におけるリング装着装置１０の形状と、他の図面におけるリング装着装置１０の形状とが若干異なることがあるが、図１乃至図２０は、同一のリング装着装置１０を示す。
【００１１】
リング装着装置１０は、例えば、リング１２を棒状部材１１に装着するために用いられる。棒状部材１１は、軸体とも称され得る。リング１２は、いわゆるＥリング（Ｅ型止め輪）である。リング１２は、例えば、棒状部材１１が軸方向に移動することを制限するために、棒状部材１１に装着される。なお、棒状部材１１及びリング１２はこれに限定されるものではない。
【００１２】
図１に示すように、リング装着装置１０は、下フレーム１４と、可動部材１５と、上フレーム１６と、スタック部１７と、プッシャ１８と、レバー１９とを有する。下フレーム１４は、支持部の一例である。上フレーム１６は、可動部の一例である。プッシャ１８は、押圧部の一例である。
【００１３】
本実施形態におけるリング装着装置１０は、一方向に細長い形状に形成される。各図面に示されるように、本明細書において、説明の便宜上、リング装着装置１０が延びる方向に沿ってＸ軸が規定される。詳しく述べると、下フレーム１４、可動部材１５、上フレーム１６、スタック部１７、及びレバー１９のうち、最も長い部品であるスタック部１７が延びる方向に沿ってＸ軸が規定される。さらに、本明細書において、Ｙ軸及びＺ軸が規定される。Ｘ軸とＹ軸とＺ軸とは、互いに直交する。Ｙ軸は、スタック部１７の幅に沿って規定される。Ｚ軸は、スタック部１７の厚さに沿って規定される。
【００１４】
本明細書において、説明の便宜上、図１におけるＺ軸に沿う正方向（Ｚ軸の矢印が向く方向）が、下方向と説明される。同じく、図１におけるＺ軸に沿う負方向（Ｚ軸の矢印の反対方向）が、上方向と説明される。しかし、「上」及び「下」は各部分について限定するものではない。各部分の上下方向における位置は、例えばリング装着装置１０が回転させられることで変わり得る。
【００１５】
さらに、図１におけるＸ軸に沿う正方向（Ｘ軸の矢印が向く方向）が、前方向と説明される。同じく、図１におけるＸ軸に沿う負方向（Ｘ軸の矢印の反対方向）が、後方向と説明される。しかし、「前」及び「後」は各部分について限定するものではない。各部分の水平方向における位置は、例えばリング装着装置１０が回転させられることで変わり得る。
【００１６】
図３は、第１の実施形態のリング装着装置１０を示す例示的な断面図である。図３に示すように、下フレーム１４は、底壁２１と、二つの内側壁２２と、支持壁２３と、突起２４と、ネジ２５とを有する。なお、図３は、二つの内側壁２２のうち一つのみを示す。
【００１７】
図３に示す状態において、底壁２１は、おおよそＸ−Ｙ平面に広がる略矩形の板状に形成される。底壁２１は、大よそＸ軸に沿う方向に延びる。なお、底壁２１が延びる方向は、下フレーム１４が回転することによって変わり得る。
【００１８】
二つの内側壁２２は、底壁２１の短手方向（Ｙ軸に沿う方向）の両端部から、底壁２１と交差する（例えば直交する）方向に立ち上がる。支持壁２３は、底壁２１の長手方向の一方の端部（図３における右側の端部）から、底壁２１と交差する方向に立ち上がる。
【００１９】
二つの内側壁２２と支持壁２３とはそれぞれ、底壁２１から、大よそ上方向に立ち上がる。このような底壁２１、二つの内側壁２２、及び支持壁２３を有する下フレーム１４は、大よそ上方向に開放された形状を有する。
【００２０】
図１及び図３に示すように、支持壁２３の先端部に、凹面２３ａが設けられる。支持壁２３の先端部は、支持壁２３の、底壁２１の反対側に位置する端部である。本実施形態において、凹面２３ａは、支持壁２３の先端部から凹んで設けられた円弧状の曲面である。なお、凹面２３ａは他の形状に形成されても良い。
【００２１】
図３に示すように、突起２４は、底壁２１から突出する。突起２４は、底壁２１の短手方向において、二つの内側壁２２の間に位置する。突起２４は、内側壁２２及び支持壁２３と同じく、大よそ上方向に突出する。
【００２２】
ネジ２５は、底壁２１に取り付けられる。ネジ２５は、底壁２１から下方向に突出する。ネジ２５が底壁２１から突出させられる長さは、ネジ２５を締め又は緩めることにより変化し得る。
【００２３】
図１に示すように、可動部材１５は、回転壁３１と、二つの取付壁３２と、前壁３３と、二つのアーム３４とを有する。なお、図１は、二つの取付壁３２のうち一つのみを示す。
【００２４】
回転壁３１は、下フレーム１４の底壁２１の下方向に位置する。言い換えると、回転壁３１は、下フレーム１４の二つの内側壁２２、支持壁２３、及び突起２４に対して底壁２１の反対側に位置する。
【００２５】
図３に示す状態において、回転壁３１は、おおよそＸ−Ｙ平面に広がる略矩形の板状に形成される。回転壁３１は、底壁２１に沿って、大よそＸ軸に沿う方向に延びる。なお、回転壁３１が延びる方向は、可動部材１５が回転することによって変わり得る。回転壁３１の長手方向（Ｘ軸に沿う方向）の寸法は、底壁２１の長手方向の寸法よりも短い。
【００２６】
図１の二つの取付壁３２は、回転壁３１の短手方向（Ｙ軸に沿う方向）の両端部から、回転壁３１と交差する方向に立ち上がる。二つの取付壁３２は、回転壁３１から、大よそ上方向に立ち上がる。Ｙ軸に沿う方向において、二つの取付壁３２の間に、下フレーム１４の二つの内側壁２２が位置する。回転壁３１の長手方向の一方の端部（後方向の端部）は、取付壁３２を介して、内側壁２２に取り付けられる。取付壁３２の後方向の端部は、回転壁３１の後方向の端部よりも後方向に位置する。
【００２７】
リング装着装置１０に、第１の軸３５が設けられる。第１の軸３５は、可動部材１５の取付壁３２を、下フレーム１４の内側壁２２に取り付ける。第１の軸３５は、Ｙ軸に沿う方向に延びる。
【００２８】
第１の軸３５は、第１の回転中心Ａｘ１まわりに回転可能に、可動部材１５を下フレーム１４に取り付ける。第１の回転中心Ａｘ１は、第１の軸３５の中心軸である。すなわち、可動部材１５は、下フレーム１４と相対的に移動可能に設けられる。なお、可動部材１５は、例えば、底壁２１と回転壁３１とを接続するヒンジによって、下フレーム１４に回転可能に取り付けられても良い。
【００２９】
前壁３３は、回転壁３１の長手方向の他方の端部（前方向の端部）から、回転壁３１と交差する方向に立ち上がる。前壁３３は、回転壁３１から、大よそ上方向に立ち上がる。図３に示す状態において、前壁３３は、おおよそＹ−Ｚ平面に広がる略矩形の板状に形成される。前壁３３は、支持壁２３に沿って、大よそＺ軸に沿う方向に延びる。なお、前壁３３が延びる方向は、可動部材１５が回転することによって変わり得る。
【００３０】
前壁３３は、端面３３ａを有する。端面３３ａは、前壁３３の、回転壁３１の反対側に位置する。図３に示す状態において、端面３３ａは、Ｙ軸に沿う方向に延びる。図３の状態において、前壁３３の端面３３ａは、下フレーム１４の支持壁２３の先端部と大よそ同一の高さに位置する。
【００３１】
前壁３３に、端面３３ａから窪む切欠き３３ｂが設けられる。切欠き３３ｂは、端面３３ａからＺ軸に沿う正方向に直線状に延びる部分（直線部分）と、当該直線状に延びる部分に接続された半円状の部分（半円部分）とを含む形状に形成される（後述の図１９参照）。言い換えると、切欠き３３ｂは、Ｚ軸に沿う方向に延びた半長円形に形成される。なお、切欠き３３ｂは、単なる半円状のような他の形状に形成されても良い。切欠き３３ｂは、両端部がそれぞれ端面３３ａに接続される前壁３３の縁３３ｃによって形成される。縁３３ｃは、端面３３ａからＺ軸に沿う正方向に平行に延びる二つの部分と、当該二つの部分を接続する円弧状の部分と、を有する。
【００３２】
切欠き３３ｂの半円部分の半径は、下フレーム１４の支持壁２３の凹面２３ａの半径よりも小さい。さらに、切欠き３３ｂの直線部分のＹ軸に沿う方向における長さは、下フレーム１４の支持壁２３の凹面２３ａの直径よりも小さい。
【００３３】
図１に示すように、二つのアーム３４は、例えば、取付壁３２から、回転壁３１の短手方向（Ｙ軸に沿う方向）内側に突出する。なお、アーム３４は、回転壁３１の短手方向外側に突出しても良いし、他の部分から突出しても良い。アーム３４は、第１の軸３５から離間した位置に設けられる。
【００３４】
上フレーム１６は、上壁４１と、二つの外側壁４２と、押板４３と、二つのアーム４４とを有する。なお、図１は、二つのアーム４４のうち一つのみを示す。
【００３５】
図３に示す状態において、上壁４１は、大よそＸ−Ｙ平面に広がる略矩形の板状に形成される。上壁４１は、大よそＸ軸に沿う方向に延びる。なお、上壁４１が延びる方向は、上フレーム１６が回転することによって変わり得る。
【００３６】
二つの外側壁４２は、上壁４１の短手方向（Ｙ軸に沿う方向）の両端部から、上壁４１と交差する方向であって、下フレーム１４に向かう側に立ち上がる。言い換えると、外側壁４２は、大よそ下方向に立ち上がる。Ｙ軸に沿う方向において、二つの外側壁４２の間に、下フレーム１４の二つの内側壁２２が位置する。
【００３７】
押板４３は、略Ｌ字状に形成され、取付部４３ａと、押部４３ｂとを有する。取付部４３ａは、上壁４１の下方向に位置する。言い換えると、取付部４３ａは、上壁４１の外側壁４２が設けられた側に位置する。取付部４３ａは、上壁４１に沿って、大よそＸ軸に沿う方向に延びる。取付部４３ａは、上壁４１の長手方向の一方の端部（前方向の端部）に、例えばネジによって取り付けられる。
【００３８】
押部４３ｂは、取付部４３ａの長手方向の一方の端部（前方向の端部）から、取付部４３ａと交差する方向であって、下フレーム１４に向かう側に立ち上がる。言い換えると、押部４３ｂは、大よそ下方向に立ち上がる。このような上壁４１、二つの外側壁４２、及び押板４３の押部４３ｂを有する上フレーム１６は、大よそ下方向に開放された形状を有する。
【００３９】
図２に示すように、押部４３ｂの先端部に、凹部４３ｃが設けられる。押部４３ｂの先端部は、押部４３ｂの、図３の取付部４３ａの反対側に位置する端部である。本実施形態において、凹部４３ｃは、円弧状の窪みである。なお、凹部４３ｃは他の形状に形成されても良い。
【００４０】
図１に示すように、二つのアーム４４は、例えば、外側壁４２の先端部から、上壁４１の短手方向（Ｙ軸に沿う方向）外側に突出する。外側壁４２の先端部は、外側壁４２の、上壁４１の反対側に位置する端部である。なお、アーム４４は、例えば、上壁４１又は押板４３から突出しても良い。アーム４４は、上フレーム１６の長手方向における中央付近に設けられる。なお、アーム４４は他の位置に設けられても良い。
【００４１】
リング装着装置１０に、第２の軸４７が設けられる。第２の軸４７は、上フレーム１６の外側壁４２の後方向の端部を、下フレーム１４の内側壁２２の後方向の端部に取り付ける。言い換えると、第２の軸４７は、押板４３の反対側で、上フレーム１６を下フレーム１４に取り付ける。
【００４２】
第２の軸４７は、Ｙ軸に沿う方向に延びる。第２の軸４７は、第２の回転中心Ａｘ２まわりに回転可能に、上フレーム１６を下フレーム１４に取り付ける。第２の回転中心Ａｘ２は、第２の軸４７の中心軸である。すなわち、上フレーム１６は、下フレーム１４と相対的に移動可能に設けられる。図３に示すように、第１の回転中心Ａｘ１から前壁３３の端面３３ａまでの半径Ｒｓは、第２の回転中心Ａｘ２から押板４３の押部４３ｂまでの半径Ｒｐよりも小さい。
【００４３】
図４は、第１の実施形態のスタック部１７を示す例示的な斜視図である。図４に示すように、スタック部１７は、レール５１と、スタッカ５３と、ステー５４とを有する。スタッカ５３は、第１のカバーの一例である。ステー５４は、接続部材の一例である。図２のような幾つかの図面において、スタッカ５３は、リング１２を示すために省略される。
【００４４】
上述のように、スタック部１７は、Ｘ軸に沿う方向に延びる。スタック部１７は、複数のリング１２を収容する。複数のリング１２は、スタック部１７の内部において、Ｘ軸に沿う方向に重ねられる。すなわち、複数のリング１２は、スタック部１７の長手方向に積層されて、スタック部１７に収容される。
【００４５】
スタック部１７は、前端部１７ａと、後端部１７ｂとを有する。前端部１７ａは、Ｘ軸に沿う方向におけるスタック部１７の一方の端部であり、第１の端部の一例である。前端部１７ａは、前方向におけるスタック部１７の端部である。後端部１７ｂは、Ｘ軸に沿う方向におけるスタック部１７の他方の端部であり、第２の端部の一例である。すなわち、後端部１７ｂは、前端部１７ａの反対側に位置する、後方向におけるスタック部１７の端部である。
【００４６】
レール５１は、Ｘ軸に沿う方向に延びる。Ｘ軸に沿う方向は、第１の方向の一例であり、Ｘ軸に沿う正方向（前方向）及びＸ軸に沿う負方向（後方向）を含む。レール５１は、スタック部１７の内部において、Ｘ軸に沿う方向に重ねられた複数のリング１２を支持する。
【００４７】
図５は、第１の実施形態のスタック部１７及びプッシャ１８を、スタック部１７の一部及びプッシャ１８の一部を除いて示す例示的な斜視図である。図５に示すように、レール５１は、第１のレール部材５６と、第２のレール部材５７とを有する。第１のレール部材５６は、第１の部材の一例である。第２のレール部材５７は、第２の部材の一例である。
【００４８】
第１のレール部材５６は、Ｘ軸に沿う方向に延びる。第１のレール部材５６は、第１の保持壁６１と、第１のガイド６２と、第１の側壁６３とを有する。第１のガイド６２は、ガイド、第１の部材の一部、及び第１の挿入部の一例である。第１の保持壁６１及び第１の側壁６３は、第１の基部の一例である。
【００４９】
第１の保持壁６１は、Ｘ−Ｙ平面に広がる略矩形の板状に形成される。第１の保持壁６１は、Ｘ軸に沿う方向に延びる。第１の保持壁６１は、スタック部１７に収容されたリング１２の一部を、下方向から覆う。
【００５０】
第１のガイド６２は、第１の保持壁６１の短手方向（Ｙ軸に沿う方向）の一方の端部から、第１の保持壁６１と交差する方向に立ち上がる。本実施形態において、第１のガイド６２は、上方向に突出する。上方向は、第２の方向及び第５の方向の一例である。別の表現によれば、第１のガイド６２は、第１の保持壁６１に接続される。第１のガイド６２は、Ｘ軸に沿う方向に延びる。
【００５１】
第１の側壁６３は、第１の保持壁６１の短手方向の他方の端部から、第１の保持壁６１と交差する方向に立ち上がる。本実施形態において、第１の側壁６３は、下方向に突出する。第１の側壁６３は、Ｘ軸に沿う方向に延びる。
【００５２】
第２のレール部材５７は、Ｘ軸に沿う方向に延びる。すなわち、第１のレール部材５６と第２のレール部材５７とは、平行に延びる。第２のレール部材５７は、Ｙ軸に沿う方向において、隙間を介して第１のレール部材５６に隣接する。
【００５３】
第２のレール部材５７は、第２の保持壁６５と、第２のガイド６６と、第２の側壁６７とを有する。第２のガイド６６は、ガイド、第２の部材の一部、及び第２の挿入部の一例である。第２の保持壁６５及び第２の側壁６７は、第２の基部の一例である。
【００５４】
第２の保持壁６５は、Ｘ−Ｙ平面に広がる略矩形の板状に形成される。第２の保持壁６５は、Ｘ軸に沿う方向に延びる。第２の保持壁６５は、スタック部１７に収容されたリング１２の一部を、下方向から覆う。第１の保持壁６１と第２の保持壁６５とは、Ｚ軸に沿う方向において、ほぼ同一位置に配置される。
【００５５】
第２のガイド６６は、第２の保持壁６５の短手方向（Ｙ軸に沿う方向）の一方の端部から、第２の保持壁６５と交差する方向に立ち上がる。本実施形態において、第２のガイド６６は、上方向に突出する。別の表現によれば、第２のガイド６６は、第２の保持壁６５に接続される。第２のガイド６６は、Ｘ軸に沿う方向に延びる。すなわち、第１のガイド６２と第２のガイド６６とは、平行に延びる。
【００５６】
第２の側壁６７は、第２の保持壁６５の短手方向の他方の端部から、第２の保持壁６５と交差する方向に立ち上がる。本実施形態において、第２の側壁６７は、下方向に突出する。第２の側壁６７は、Ｘ軸に沿う方向に延びる。
【００５７】
第２のガイド６６は、第１のガイド６２と隙間を介して隣接する。Ｙ軸に沿う方向において、第１の側壁６３と第２の側壁６７との間に、第１のガイド６２及び第２のガイド６６が位置する。
【００５８】
図４に示すように、スタッカ５３は、第１のレール部材５６と第２のレール部材５７とに取り付けられる。これにより、スタッカ５３は、第１のレール部材５６と第２のレール部材５７とを、互いに隙間を介して隣接する位置に保持する。スタッカ５３は、Ｘ軸に沿う方向に延びる。スタッカ５３は、二つの留め壁７１と、覆壁７２と、二つの受け壁７３とを有する。
【００５９】
二つの留め壁７１はそれぞれ、Ｘ−Ｚ平面に広がる略矩形の板状に形成される。留め壁７１は、Ｘ軸に沿う方向に延びる。すなわち、二つの留め壁７１は平行に延び、互いに向かい合う。
【００６０】
二つの留め壁７１はそれぞれ、図５の第１のレール部材５６の第１の側壁６３と、第２のレール部材５７の第２の側壁６７とに沿って延びる。二つの留め壁７１の間に、第１の側壁６３及び第２の側壁６７が位置する。一方の留め壁７１は、第１の側壁６３に取り付けられる。他方の留め壁７１は、第２の側壁６７に取り付けられる。覆壁７２は、二つの留め壁７１のそれぞれの上方向の端部を接続する。
【００６１】
スタッカ５３は、レール５１の一部を覆う。このため、レール５１に、スタッカ５３に覆われた被覆部５１ａと、スタッカ５３の外に位置する露出部５１ｂとが設けられる。被覆部５１ａは、第１の部分の一例である。露出部５１ｂは、第２の部分の一例である。
【００６２】
被覆部５１ａは、レール５１の前方向の端部から続く部分である。露出部５１ｂは、レール５１の後方向の端部から続く部分である。このため、露出部５１ｂは、被覆部５１ａよりも、スタック部１７の後端部１７ｂに近い。
【００６３】
レール５１の被覆部５１ａに支持された複数のリング１２は、スタッカ５３に覆われる。覆壁７２は、レール５１の被覆部５１ａと、レール５１に支持されてスタック部１７に収容された複数のリング１２とを、Ｚ軸に沿う負方向（上方向）から覆う。二つの留め壁７１は、レール５１の被覆部５１ａと、レール５１に支持されてスタック部１７に収容された複数のリング１２と、をＹ軸に沿う方向から覆う。このように、レール５１の被覆部５１ａと、スタック部１７に収容された複数のリング１２とは、Ｙ軸に沿う方向及びＺ軸に沿う方向からスタック部１７に覆われる。
【００６４】
二つの受け壁７３はそれぞれ、Ｙ−Ｚ平面に広がる略矩形の板状に形成される。二つの受け壁７３はそれぞれ、対応する留め壁７１の前方向の端部から、当該留め壁７１と交差する方向に立ち上がる。二つの留め壁７１は、互いに近づく方向に延びる。二つの受け壁７３は、スタック部１７の前端部１７ａに設けられる。
【００６５】
図３に示すように、受け壁７３は、レール５１の前方向の端部から離間する。レール５１の前方向の端部と、受け壁７３との間に、押出口７４が設けられる。言い換えると、押出口７４は、受け壁７３に隣接する。
【００６６】
押出口７４は、Ｙ軸に沿う方向に延びる。Ｙ軸に沿う方向において、押出口７４の寸法（長手方向の幅）は、一つのリング１２の直径よりも大きい。Ｘ軸に沿う方向において、押出口７４の寸法（短手方向の幅）は、一つのリング１２の厚さよりも僅かに大きい。すなわち、一つのリング１２は、押出口７４を通過可能である。
【００６７】
図４に示すように、スタッカ５３の二つの留め壁７１にそれぞれ、スリット７５が設けられる。なお、図４は、二つのスリット７５のうち一つのみを示す。スリット７５は、Ｘ軸に沿う方向に延びる。スリット７５は、スタック部１７に収容された複数のリング１２を視認可能にする。
【００６８】
図６は、第１の実施形態のスタック部１７を、スタッカ５３を除いて示す例示的な斜視図である。図６は、スタック部１７を図４の反対側（略後方向）から示す。図６に示すように、ステー５４は、第１の取付壁７６と、第２の取付壁７７と、接続壁７８とを有する。
【００６９】
第１の取付壁７６及び第２の取付壁７７はそれぞれ、Ｘ−Ｚ平面に広がる略矩形の板状に形成される。第１の取付壁７６及び第２の取付壁７７はそれぞれ、Ｘ軸に沿う方向に延びる。すなわち、第１の取付壁７６及び第２の取付壁７７は平行に延び、互いに向かい合う。
【００７０】
第１の取付壁７６は、第１のレール部材５６の第１の側壁６３に沿って延びる。第２の取付壁７７は、図５の第２のレール部材５７の第２の側壁６７に沿って延びる。接続壁７８は、第１の取付壁７６及び第２の取付壁７７のそれぞれの下方向の端部を接続する。このようなステー５４は、略Ｕ字状の断面を有する。ステー５４の断面は、他の形状であっても良い。
【００７１】
第１の側壁６３及び第２の側壁６７の間に、第１及び第２の取付壁７６，７７が位置する。第１の取付壁７６は、第１の側壁６３に取り付けられる。第２の取付壁７７は、第２の側壁６７に取り付けられる。これにより、ステー５４は、第１のレール部材５６と、第２のレール部材５７とを接続する。
【００７２】
ステー５４は、第１のレール部材５６よりも厚く、且つ第２のレール部材５７よりも厚い。ステー５４は、レール５１の露出部５１ｂに取り付けられ、レール５１の後方向の端部から突出する。ステー５４は、スタック部１７の後端部１７ｂを形成する。
【００７３】
ステー５４の接続壁７８に、挿通孔７８ａが設けられる。挿通孔７８ａは、第１の嵌合部の一例である。挿通孔７８ａは、スタック部１７の後端部１７ｂの近傍に設けられ、接続壁７８をＺ軸に沿う方向に貫通する。挿通孔７８ａは、ステー５４の、レール５１の後方向の端部から突出した部分に設けられる。
【００７４】
図７は、第１の実施形態のプッシャ１８を示す例示的な断面図である。図７に示すように、プッシャ１８は、バックカバー８１と、プッシャ部８２とを有する。バックカバー８１は、第２のカバーの一例である。プッシャ部８２は、付勢部の一例である。
【００７５】
バックカバー８１は、有底の筒状に形成される。バックカバー８１に、収容口８３が設けられる。収容口８３は、Ｘ軸に沿う正方向（前方向）に開口する。収容口８３は、図６のレール５１の露出部５１ｂ及びステー５４を収容可能な大きさの開口である。
【００７６】
図３に示すように、収容口８３に、レール５１の露出部５１ｂの少なくとも一部と、ステー５４の少なくとも一部とが収容される。これにより、バックカバー８１は、レール５１の露出部５１ｂの少なくとも一部と、ステー５４の少なくとも一部とを、Ｚ軸に沿う方向（上方向及び下方向）と、Ｙ軸に沿う方向と、Ｘ軸に沿う負方向（後方向）とから覆う。なお、バックカバー８１は、レール５１の被覆部５１ａをさらに覆っても良い。
【００７７】
バックカバー８１は、少なくとも上方向から、レール５１の露出部５１ｂの少なくとも一部と、ステー５４の少なくとも一部とを覆う。すなわち、図５のレール５１の第１及び第２のガイド６２，６６が突出する方向から平面視したときに、第１及び第２のガイド６２，６６がバックカバー８１に覆い隠される。
【００７８】
バックカバー８１は、二つのカバー部材８５と、嵌合部材８６とを有する。なお、図３は、二つのカバー部材８５のうち一つのみを示す。嵌合部材８６は、第２の嵌合部の一例である。二つのカバー部材８５と、嵌合部材８６とは、組み合わされることで、有底の筒状のバックカバー８１を形成する。
【００７９】
二つのカバー部材８５は、互いに取り付けられることで、有底の筒状に形成される。カバー部材８５は、内面８５ａと、外面８５ｂとを有する。内面８５ａは、バックカバー８１の内側に向く。すなわち、内面８５ａは、収容口８３に収容されたレール５１の露出部５１ｂに向く。外面８５ｂは、内面８５ａの反対側に位置する。
【００８０】
二つのカバー部材８５は、組み合わされることで、開口８７を形成する。開口８７は、カバー部材８５の内面８５ａから外面８５ｂに亘って、組み合わされたカバー部材８５を貫通する。開口８７は、例えば、下斜め後方向に向いて外面８５ｂに開口する。
【００８１】
図８は、第１の実施形態のプッシャ１８の一部を示す例示的な断面図である。嵌合部材８６は、合成樹脂のような材料によって作られ、弾性変形可能に形成される。図８に示すように、嵌合部材８６は、第１の延壁９１と、第２の延壁９２と、引掛け部９３と、ボタン部９４とを有する。
【００８２】
第１の延壁９１は、例えば、Ｘ軸に沿う方向に延びる。第１の延壁９１の後方向の端部は、組み合わされたカバー部材８５に取り付けられる。言い換えると、第１の延壁９１は、カバー部材８５に片持ち状に接続（支持）される。
【００８３】
第２の延壁９２は、第１の延壁９１の前方向の端部から、下斜め後方向に延びる。第２の延壁９２の下斜め後方向の端部は、Ｚ軸に沿う方向において、カバー部材８５の内面８５ａから僅かに離間する。なお、第２の延壁９２の下斜め後方向の端部は、内面８５ａに接触しても良い。
【００８４】
引掛け部９３は、第２の延壁９２の下斜め後方向の端部に設けられる。引掛け部９３は、爪部９３ａと、前部９３ｂと、上部９３ｃとを有する。爪部９３ａは、第２の延壁９２の下斜め後方向の端部から後方向に延びる。前部９３ｂは、第２の延壁９２の下斜め後方向の端部から上方向に延びる。上部９３ｃは、前部９３ｂの上方向の端部から後方向に延びる。すなわち、爪部９３ａと上部９３ｃとは、隙間を介して略平行に延びる。爪部９３ａと、前部９３ｂと、上部９３ｃとは、後方向に開口し、前方向に向かって延びる凹部を形成する。
【００８５】
ボタン部９４は、引掛け部９３の上部９３ｃの後方向の端部に接続される。ボタン部９４は、カバー部材８５に形成された開口８７に、移動可能に嵌め込まれる。ボタン部９４は、表面９４ａを有する。
【００８６】
表面９４ａは、カバー部材８５の外面８５ｂと同一平面を形成する（面一に設けられる）。表面９４ａは、外面８５ｂよりも収容口８３に収容されたレール５１の露出部５１ｂに近くても良い。言い換えると、表面９４ａは、外面８５ｂから窪んでいても良い。表面９４ａは、バックカバー８１の外部に露出される。
【００８７】
上述のようにカバー部材８５に片持ち状に接続された嵌合部材８６は、バックカバー８１のカバー部材８５に対して、例えばＺ軸に沿う方向（上方向及び下方向）に弾性的に移動可能である。Ｚ軸に沿う方向は、第４の方向及び第６の方向の一例である。
【００８８】
例えば、ボタン部９４の表面９４ａがユーザによって上方向に押し込まれると、第１の延壁９１と第２の延壁９２とが接続された部分が弾性変形し、嵌合部材８６の第２の延壁９２、引掛け部９３、及びボタン部９４がカバー部材８５に対して上方向に弾性的に移動する。このとき、ボタン部９４の表面９４ａも、カバー部材８５に対して上方向に移動する。ユーザがボタン部９４から指を離すと、嵌合部材８６の第２の延壁９２、引掛け部９３、及びボタン部９４がカバー部材８５に対して下方向に弾性的に移動し、通常の位置へ戻る。
【００８９】
図７に示すように、プッシャ部８２は、ロッド９５と、ブロック９６と、押バネ９７とを有する。図７は、押バネ９７を二点鎖線で模式的に示す。ブロック９６は、移動部材の一例である。押バネ９７は、付勢部材の一例である。
【００９０】
ロッド９５は、Ｘ軸に沿う方向に延びる棒状の部材である。ロッド９５の後方向の端部は、バックカバー８１に取り付けられる。すなわち、ロッド９５は、バックカバー８１からＸ軸に沿う方向に延びる。ロッド９５はバックカバー８１に固定されており、ロッド９５がバックカバー８１に対して平行移動及び揺動することは抑制される。
【００９１】
ブロック９６は、ロッド９５に、当該ロッド９５に沿って移動可能に取り付けられる。ブロック９６は、略Ｌ字型に形成される。なお、ブロック９６は、他の形状に形成されても良い。ブロック９６は、挿通部９６ａと、接触部９６ｂとを有する。
【００９２】
挿通部９６ａは、Ｚ軸に沿う方向に延びる。図５に示すように、挿通部９６ａに、Ｘ軸に沿う方向に延びる孔９６ｃが設けられる。挿通部９６ａは、孔９６ｃにロッド９５を通されることで、ロッド９５に沿って移動することができる。
【００９３】
接触部９６ｂは、挿通部９６ａから前方向に向かって延びる。Ｚ軸に沿う方向において、接触部９６ｂの長さは、挿通部９６ａの長さよりも短い。接触部９６ｂに、レール５１の第１及び第２のガイド６２，６６が嵌め込まれる凹部９６ｄが設けられる。
【００９４】
図７に示す押バネ９７は、Ｘ軸に沿う方向に延びるコイルバネである。押バネ９７の内部に、ロッド９５が通される。押バネ９７は、バックカバー８１とブロック９６との間に位置する。押バネ９７は、ブロック９６を、バックカバー８１から遠ざかる方向（前方向）に押す。
【００９５】
図３に示すように、プッシャ部８２は、後端部１７ｂからスタック部１７に挿入される。プッシャ部８２がスタック部１７に挿入されると、ブロック９６の接触部９６ｂは、スタック部１７の内部で、受け壁７３に向かって延びる。
【００９６】
ブロック９６の接触部９６ｂは、スタック部１７に収容されてレール５１に支持された複数のリング１２のうち、最も後方向に位置するリング１２に接触する。押バネ９７は、ブロック９６と、ブロック９６に接触する複数のリング１２を受け壁７３に向かって押す。押バネ９７は、複数のリング１２を受け壁７３に押し付ける。
【００９７】
スタック部１７に収容された複数のリング１２のうち、最も前方向に位置するリング１２は、受け壁７３に接触する。すなわち、受け壁７３は、リング１２を前方向から支持する。当該リング１２の下方向に、押出口７４が位置する。言い換えると、受け壁７３に接触するリング１２は、押出口７４に面する。
【００９８】
図８に示すように、プッシャ部８２がスタック部１７に挿入された状態で、嵌合部材８６がステー５４の挿通孔７８ａに嵌り、挿通孔７８ａを形成する接続壁７８の縁に引っかかる。これにより、プッシャ１８がスタック部１７に取り外し可能に取り付けられる。
【００９９】
具体的には、嵌合部材８６の第２の延壁９２が、挿通孔７８ａに挿入される。そして、引掛け部９３の前部９３ｂに、挿通孔７８ａを形成するステー５４の接続壁７８の縁が接触する。これにより、バックカバー８１が、スタック部１７に対して後方向に移動することが制限される。
【０１００】
図３に示すように、バックカバー８１とブロック９６との間に位置する押バネ９７が、ブロック９６を受け壁７３に向かって押す。このため、押バネ９７は、バックカバー８１を、スタック部１７の受け壁７３に対して、後方向に押す。これにより、挿通孔７８ａを形成するステー５４の接続壁７８の縁が、図８の引掛け部９３の前部９３ｂに押し付けられる。
【０１０１】
さらに、図８に示すように、引掛け部９３の爪部９３ａと、上部９３ｃとの間に、挿通孔７８ａを形成するステー５４の接続壁７８の縁が位置する。これにより、バックカバー８１が、スタック部１７に対して上方向及び後方向に移動することが制限される。
【０１０２】
以上のように、挿通孔７８ａを形成するステー５４の接続壁７８の縁が、爪部９３ａと、前部９３ｂと、上部９３ｃとによって形成される凹部に入り込む。さらに、図７の押バネ９７によって、引掛け部９３の前部９３ｂが、挿通孔７８ａを形成するステー５４の接続壁７８の縁に押し付けられる。これにより、プッシャ１８がスタック部１７に取り付けられる。
【０１０３】
図１に示すように、スタック部１７は、下フレーム１４と上フレーム１６との間に位置する。図５のスタック部１７の第１の側壁６３、第２の側壁６７、及び図４の二つの留め壁７１は、第２の軸４７によって、下フレーム１４の内側壁２２と上フレーム１６の外側壁４２とに取り付けられる。
【０１０４】
第２の軸４７は、第２の回転中心Ａｘ２まわりに回転可能に、スタック部１７を、上フレーム１６及び下フレーム１４に取り付ける。すなわち、スタック部１７は、上フレーム１６及び下フレーム１４と相対的に移動可能に設けられる。このように、下フレーム１４、上フレーム１６、及びスタック部１７は、同一の第２の回転中心Ａｘ２まわりに回転可能に設けられる。なお、下フレーム１４、上フレーム１６、及びスタック部１７の少なくとも一つが、他と異なる回転中心まわりに回動可能であっても良い。
【０１０５】
図３に示すように、上フレーム１６がスタック部１７に取り付けられると、上フレーム１６がスタック部１７を覆う。上フレーム１６は、スタック部１７のレール５１の一部を覆う。レール５１の被覆部５１ａは、スタッカ５３に覆われるとともに、上フレーム１６に覆われる。レール５１の露出部５１ｂは、スタッカ５３の外に位置するとともに、上フレーム１６の外に位置する。このような上フレーム１６が、第１のカバーの一例であっても良い。
【０１０６】
上フレーム１６の押板４３の押部４３ｂの一部は、スタック部１７に入り込む。押部４３ｂは、スタック部１７のスタッカ５３の受け壁７３に対し、後方向に隣接するよう配置される。このため、Ｘ軸に沿う方向において、押部４３ｂと、スタック部１７に設けられた押出口７４とが、大よそ同一位置に配置される。
【０１０７】
Ｘ軸に沿う方向において、押部４３ｂの寸法（厚さ）は、押出口７４の寸法よりも僅かに小さい。さらに、Ｙ軸に沿う方向においても、押部４３ｂの寸法（横幅）は、押出口７４の寸法よりも小さい。このため、例えば上フレーム１６がスタック部１７に近づくように回転することにより、押部４３ｂは、押出口７４を通過可能である。
【０１０８】
図１に示すように、レバー１９は、操作部１０１と、第３の軸１０２と、二つのアーム１０３とを有する。なお、図１は、二つのアーム１０３のうち一つのみを示す。第３の軸１０２は、Ｙ軸に沿う方向に延びる。第３の軸１０２は、第３の回転中心Ａｘ３まわりに回転可能に、操作部１０１を下フレーム１４の内側壁２２に取り付ける。第３の回転中心Ａｘ３は、第３の軸１０２の中心軸である。すなわち、レバー１９は、下フレーム１４と相対的に移動可能に設けられる。アーム１０３は、第３の回転中心Ａｘ３を挟んで操作部１０１の大よそ反対側に配置される。アーム１０３は、上方向から上フレーム１６のアーム４４に接触させられる。
【０１０９】
図３に示すように、下フレーム１４の底壁２１と、スタック部１７のレール５１との間に、第１の離間バネ１０５が設けられる。第１の離間バネ１０５は、コイルバネであり、下フレーム１４を、スタック部１７から離間する方向に押す。言い換えると、第１の離間バネ１０５は、第２の回転中心Ａｘ２まわりに、図３における時計回り方向に下フレーム１４を付勢する。第１の離間バネ１０５は、突起２４によって支持される。
【０１１０】
上フレーム１６の上壁４１と、スタック部１７のスタッカ５３との間に、第２の離間バネ１０６が設けられる。第２の離間バネ１０６は、コイルバネであり、上フレーム１６を、スタック部１７から離間する方向に押す。言い換えると、第２の離間バネ１０６は、第２の回転中心Ａｘ２まわりに、図３における反時計まわりに上フレーム１６を押す。
【０１１１】
スタック部１７のスタッカ５３の覆壁７２に、突起７２ａが設けられる。突起７２ａは、上方向に突出する。一方、上フレーム１６の上壁４１に、突起４１ａが設けられる。突起４１ａは、下方向に突出する。第２の離間バネ１０６は、突起７２ａと突起４１ａに支持される。
【０１１２】
下フレーム１４と、第１の離間バネ１０５と、スタック部１７と、第２の離間バネ１０６と、上フレーム１６とは、直列に接続される。第２の離間バネ１０６は、第１の離間バネ１０５よりもバネ定数が高い。さらに、第２の回転中心Ａｘ２から第１の離間バネ１０５までの半径Ｒｓｐ１は、第２の回転中心Ａｘ２から第２の離間バネ１０６までの半径Ｒｓｐ２よりも長い。
【０１１３】
図１に示すように、リング装着装置１０は、捩りバネ１０７をさらに有する。捩りバネ１０７は、螺旋状に巻かれた巻部１０７ａと、巻部１０７ａからそれぞれ延びた第１の延部１０７ｂ及び第２の延部１０７ｃとを有する。第１の延部１０７ｂと第２の延部１０７ｃとは、互いに異なる方向に延びる。
【０１１４】
巻部１０７ａは、例えば、第１の軸３５に取り付けられる。第１の延部１０７ｂは、例えば、下フレーム１４の底壁２１に上方向から接触する。言い換えると、第１の延部１０７ｂは、下フレーム１４の底壁２１に支持される。なお、第１の延部１０７ｂは、他の部分に支持されても良い。
【０１１５】
第２の延部１０７ｃは、可動部材１５のアーム３４に下方向から接触する。言い換えると、第２の延部１０７ｃは、可動部材１５のアーム３４に支持される。なお、図１は、第２の延部１０７ｃがアーム３４から外れた状態を示す。
【０１１６】
捩りバネ１０７は、第１の延部１０７ｂで下フレーム１４の底壁２１に支持されるとともに、第２の延部１０７ｃで可動部材１５のアーム３４を押す。これにより、捩りバネ１０７は、可動部材１５を下フレーム１４に向かって押す。捩りバネ１０７は、可動部材１５の回転壁３１が下フレーム１４の底壁２１に近づくように、可動部材１５を押す。言い換えると、捩りバネ１０７は、第１の回転中心Ａｘ１まわりに、図３における反時計回り方向に可動部材１５を押す。
【０１１７】
以上述べたリング装着装置１０は、連動機構Ｍによって開閉する。連動機構Ｍは、例えば、レバー１９のアーム１０３と、上フレーム１６のアーム４４と、可動部材１５のアーム３４と、図３の第１の離間バネ１０５及び第２の離間バネ１０６と、捩りバネ１０７とを含む。連動機構Ｍは、リング装着装置１０が操作されていない状態において、以下のようにリング装着装置１０を開かれた状態に保つ。
【０１１８】
図３に示すように、第１の離間バネ１０５は、下フレーム１４をスタック部１７から離間させる。さらに、第２の離間バネ１０６は、上フレーム１６をスタック部１７から離間させる。しかし、図１に示すように、下フレーム１４に取り付けられたレバー１９のアーム１０３が、上フレーム１６のアーム４４を上方向から支持する。このため、下フレーム１４がスタック部１７から所定の距離より大きく離れることが抑制されるとともに、上フレーム１６がスタック部１７から所定の距離より大きく離れることが抑制される。このように、レバー１９のアーム１０３は、下フレーム１４がスタック部１７から離れることを制限するとともに、上フレーム１６がスタック部１７から離れることを制限する。
【０１１９】
図３に示すように、第１の離間バネ１０５によって下フレーム１４がスタック部１７から離間させられるため、下フレーム１４の支持壁２３は、スタック部１７から離間した位置に配置される。Ｚ軸に沿う方向における支持壁２３とスタック部１７との間の距離は、棒状部材１１の直径よりも長い。同じく、下フレーム１４に取り付けられた可動部材１５の前壁３３は、スタック部１７から離間した位置に配置される。Ｚ軸に沿う方向における前壁３３とスタック部１７との間の距離は、棒状部材１１の直径よりも長い。
【０１２０】
第２の離間バネ１０６によって上フレーム１６がスタック部１７から離間させられるため、上フレーム１６の押板４３の押部４３ｂは、スタック部１７の押出口７４から上方向に離間した位置に配置される。押部４３ｂは、スタック部１７に収容されるとともに受け壁７３に支持されるリング１２から、僅かに上方向に離間した位置に配置される。なお、押部４３ｂは、受け壁７３に支持されるリング１２に接触しても良い。
【０１２１】
一方、直列に接続された第１の離間バネ１０５及び第２の離間バネ１０６によって、上フレーム１６は上方向に押される。このため、図１に示すように、上フレーム１６のアーム４４は、レバー１９のアーム１０３を上方向に押し、レバー１９を回転させようとする。レバー１９は、上フレーム１６のアーム４４によって、第３の回転中心Ａｘ３まわりに、図３における反時計回り方向に回転させられる。
【０１２２】
レバー１９の操作部１０１は、基端部１０１ａと、先端部１０１ｂとを有する。基端部１０１ａは、先端部１０１ｂよりも第３の軸１０２に近い、操作部１０１の端部である。例えば基端部１０１ａがストッパ１０９に接触することにより、レバー１９が下フレーム１４に対して所定の角度より大きく回転することが抑制される。ストッパ１０９は、例えば、下フレーム１４に取り外し可能に取り付けられ、下フレーム１４の底壁２１から下方向に突出する円柱状の部材である。
【０１２３】
基端部１０１ａがストッパ１０９に接触する状態において、先端部１０１ｂは、下フレーム１４から離間した位置に配置される。Ｚ軸に沿う方向における先端部１０１ｂと上フレーム１６との間の距離（リング装着装置１０の縦幅）は、リング装着装置１０のユーザが把持可能な長さに保たれる。
【０１２４】
捩りバネ１０７は、可動部材１５を下フレーム１４に向かって押す。図３に示すように、可動部材１５の回転壁３１に、窪み３１ａが設けられる。窪み３１ａは、ネジ２５に対応する位置で、下方向に窪む。図３に示す状態において、ネジ２５は、窪み３１ａにおいて、可動部材１５の回転壁３１に接触する。ネジ２５は、回転壁３１に接触することにより、捩りバネ１０７に押された可動部材１５の移動を制限する。なお、例えば、底壁２１が、回転壁３１に接触することにより、捩りバネ１０７に押された可動部材１５の移動を制限しても良い。
【０１２５】
回転壁３１がネジ２５に接触すると、可動部材１５の前壁３３は、下フレーム１４の支持壁２３に隣接する。前壁３３は、支持壁２３に前方向から接触する。なお、前壁３３は、支持壁２３から僅かに離間しても良い。
【０１２６】
以上のように、スタック部１７から、下フレーム１４、上フレーム１６及び、レバー１９の操作部１０１の先端部１０１ｂが離間し、可動部材１５が下フレーム１４に接触する状態における、リング装着装置１０の各部分の位置を、初期位置Ｐ１と定義する。例えば、ユーザがリング装着装置１０を操作しない場合、リング装着装置１０の各部分は初期位置Ｐ１に位置する。
【０１２７】
図９は、第１の実施形態の棒状部材１１を概略的に示す例示的な斜視図である。リング装着装置１０は、図９に例示されるような棒状部材１１に、リング１２を装着する。棒状部材１１は、円柱形の棒状に形成されたいわゆる丸棒部材である。
【０１２８】
棒状部材１１は、円筒状の周面１１１を有する。周面１１１には、棒状部材１１の中心軸Ｃ１の周方向に沿って延びる溝１１２が設けられる。言い換えると、溝１１２は、棒状部材１１の外周に沿って設けられる。リング１２は、溝１１２に挿入された状態で棒状部材１１を周方向に囲うように、棒状部材１１に装着される。溝１１２の断面は、四角形状である。
【０１２９】
溝１１２の位置、棒状部材１１の断面形状、直径、及び長さ等は、図９に示されたものに限定されない。例えば、溝１１２は、図９に示される溝１１２よりも棒状部材１１の端面１１３からより遠い位置に設けられても良い。端面１１３は、棒状部材１１の軸方向における端面である。
【０１３０】
また、棒状部材１１に、部分的に、径方向と直交するフラット部が設けられても良い。当該フラット部が設けられた部分では、棒状部材１１の断面形状は、略Ｄ字状である。よって、当該フラット部は、Ｄカット部とも称され得る。また、溝１１２は、Ｄカット部が設けられた位置の周面１１１に設けられてもよい。
【０１３１】
図１０は、第１の実施形態のリング１２を概略的に示す例示的な正面図である。リング１２は、円弧状に延びる弧状部１２１を有する。弧状部１２１は、中心Ｃ２の周方向に延びる。弧状部１２１の周方向の二つの端部１２２，１２２は互いに面しており、これら端部１２２，１２２の間に隙間１２３が設けられる。弧状部１２１及び端部１２２に、径方向の内側に向けて突出する突起１２４が設けられる。弧状部１２１は、鉄系材料等の弾性変形可能な金属材料によって構成されている。
【０１３２】
リング１２の二つの端部１２２，１２２に棒状部材１１の溝１１２の底面が押し当てられると、弧状部１２１は、端部１２２，１２２間の隙間１２３が広がるように弾性変形する。この状態で、棒状部材１１が隙間１２３を通って弧状部１２１の内側に挿入される。棒状部材１１が隙間１２３を通過すると、互いに離れていた二つの端部１２２，１２２間は元の位置に戻る。このようにして、リング１２の突起１２４が溝１１２内に挿入され、棒状部材１１を囲う状態が得られる。
【０１３３】
以下、リング装着装置１０によって棒状部材１１にリング１２を装着する方法の少なくとも一部について例示する。なお、リング１２の装着方法は以下の方法に限らず、他の方法を用いても良い。
【０１３４】
まず、スタック部１７に複数のリング１２を収容するために、プッシャ１８がスタック部１７から取り外される。図８に示すように、プッシャ１８がスタック部１７に取り付けられた状態において、ステー５４の挿通孔７８ａに、嵌合部材８６が嵌め込まれている。
【０１３５】
プッシャ１８のバックカバー８１がＸ軸に沿う正方向（前方向）に押され、カバー部材８５及び嵌合部材８６がスタック部１７に対して前方向に移動させられる。前方向は、第３の方向の一例である。これにより、嵌合部材８６の引掛け部９３の前部９３ｂが、挿通孔７８ａを形成するステー５４の接続壁７８の縁から離間する。言い換えると、爪部９３ａが、挿通孔７８ａを形成する接続壁７８の縁から外れる。
【０１３６】
カバー部材８５及び嵌合部材８６がスタック部１７に対して前方向に移動させられた状態から、嵌合部材８６のボタン部９４が、カバー部材８５に対してＺ軸に沿う負方向（上方向）に押される（移動させられる）。このように嵌合部材８６が弾性変形させられることで、嵌合部材８６の第２の延壁９２及び引掛け部９３が、挿通孔７８ａから外れ、嵌合部材８６はプッシャ１８をスタック部１７から取り外し可能な状態にする。
【０１３７】
図１１は、第１の実施形態のプッシャ１８が取り外されたリング装着装置１０を示す例示的な側面図である。図３のバックカバー８１がＸ軸に沿う負方向（後方向）に引っ張られることで、レール５１の露出部５１ｂ及びステー５４が、バックカバー８１の収容口８３の外に出される。言い換えると、レール５１の露出部５１ｂ及びステー５４が露出される。さらに、バックカバー８１に取り付けられたプッシャ部８２が、スタック部１７の内部から取り出される。
【０１３８】
プッシャ１８がスタック部１７から取り外された状態で、複数のリング１２が、スタック部１７の後端部１７ｂから、スタック部１７の内部に挿入される。図１１は、複数のリング１２を二点鎖線で示す。スタック部１７の内部に挿入される前において、複数のリング１２は、例えばテープによって、重ねられた状態に保持される。
【０１３９】
複数のリング１２のそれぞれの隙間１２３に、図５の第１のレール部材５６の第１のガイド６２と、第２のレール部材５７の第２のガイド６６とが挿入されることで、レール５１が複数のリング１２を支持する。これにより、複数のリング１２の隙間１２３が、下方向に向くように揃えられる。第１及び第２のガイド６２，６６が隙間１２３に挿入されると、第１及び第２のガイド６２，６６は、リング１２の弧状部１２１に覆われる。
【０１４０】
図１１の矢印で示すように、例えば、複数のリング１２は、レール５１に支持された状態で、テープを剥がされながらスタック部１７の内部に挿入される。すなわち、複数のリング１２は、スタック部１７に収容される前に、ばらばらにされる。しかし、複数のリング１２はそれぞれ、レール５１に支持されることで、Ｘ軸に沿う方向に並べられた状態に保たれる。
【０１４１】
複数のリング１２がスタック部１７の内部に挿入されると、図５のプッシャ１８がスタック部１７に取り付けられる。具体的には、ブロック９６の凹部９６ｄに、第１及び第２のガイド６２，６６が嵌め込まれる。これにより、ブロック９６は、レール５１に沿って移動可能となる。この状態で、プッシャ部８２がスタック部１７の内部に挿入される。
【０１４２】
図５及び図７のプッシャ部８２がスタック部１７の内部に挿入されると、押バネ９７が、ブロック９６を介して、複数のリング１２を受け壁７３に向かって押す。最も前方向に位置するリング１２は、第１及び第２のガイド６２，６６から外れ、受け壁７３に支持されるとともに、当該受け壁７３に隣接する押出口７４に面する。このように、第１及び第２のガイド６２，６６は、押出口７４に面するリング１２を除く複数のリング１２の隙間１２３に挿入される。
【０１４３】
図３のプッシャ部８２がスタック部１７の内部に挿入されるに伴って、ロッド９５に固定されたバックカバー８１が前方向に移動する。これにより、レール５１の露出部５１ｂ及びステー５４が、バックカバー８１の収容口８３に挿入される。
【０１４４】
図８に示すように、嵌合部材８６の第２の延壁９２は、下斜め後ろ方向に延びる。第２の延壁９２がステー５４の後方向の端部に接触した状態で、バックカバー８１が前方向に移動する。第２の延壁９２は、前方向からステー５４に押されて、上方向に弾性的に移動させられる。引掛け部９３及びボタン部９４も、上方向に移動させられる。
【０１４５】
バックカバー８１がさらに前方向に移動すると、第２の延壁９２及び引掛け部９３が、弾性力によって下方向に移動し、ステー５４の接続壁７８の挿通孔７８ａに嵌り込む。このように、嵌合部材８６の第２の延壁９２及び引掛け部９３は、上方向及び下方向における弾性的な移動を伴って挿通孔７８ａに嵌る。
【０１４６】
第２の延壁９２及び引掛け部９３が挿通孔７８ａに嵌った状態で、図７のプッシャ部８２の押バネ９７は、バックカバー８１を後方向に押す。これにより、挿通孔７８ａを形成する接続壁７８の縁が、爪部９３ａと、前部９３ｂと、上部９３ｃとによって形成される凹部に入り込む。これにより、プッシャ１８がスタック部１７に取り付けられる。
【０１４７】
図１２は、第１の実施形態のリング装着装置１０の一部と、棒状部材１１の一部と、リング１２とを拡大して示す例示的な断面図である。図１２に示すように、まず、リング装着装置１０は、環状の溝１１２の径方向の外側にリング１２が位置するよう、棒状部材１１とリング１２とを支持する。本実施形態において、リング１２は、溝１１２の上方向に位置する。
【０１４８】
リング装着装置１０が棒状部材１１を支持すると、棒状部材１１の中心軸Ｃ１とリング１２の中心Ｃ２とが大よそ平行となるとともに、中心軸Ｃ１及び中心Ｃ２と、リング装着装置１０の長手方向（Ｘ軸に沿う方向）とが大よそ平行となる。さらに、リング１２の端部１２２が棒状部材１１の周面１１１に面する。
【０１４９】
詳しく述べると、棒状部材１１は、リング装着装置１０の下フレーム１４と可動部材１５とによって支持される。下フレーム１４の支持壁２３の凹面２３ａによって、棒状部材１１の周面１１１が支持される。凹面２３ａは、棒状部材１１を径方向に支持する。凹面２３ａは、棒状部材１１が径方向（下方向）に移動することを制限し、棒状部材１１を径方向に位置決めする。
【０１５０】
さらに、可動部材１５の前壁３３の縁３３ｃが、棒状部材１１の溝１１２内に挿入され、棒状部材１１を支持する。前壁３３の縁３３ｃは、棒状部材１１が軸方向に移動することを制限し、棒状部材１１を軸方向に位置決めする。なお、縁３３ｃは、棒状部材１１が径方向に移動することを抑制し、棒状部材１１を径方向に位置決めしても良い。
【０１５１】
棒状部材１１の軸方向（大よそＸ軸に沿う方向）において、支持壁２３は、前壁３３に隣接して設けられる。このため、溝１１２から端面１１３までの距離が短い場合にあっても、支持壁２３は、棒状部材１１の周面１１１を支持することができる。
【０１５２】
図１３は、第１の実施形態のリング装着装置１０の一部と、保持された棒状部材１１の一部と、リング１２とを示す例示的な斜視図である。図１４は、第１の実施形態のリング装着装置１０の一部と、保持された棒状部材１１の一部と、リング１２とを示す例示的な正面図である。図１５は、第１の実施形態のリング装着装置１０の一部と、保持された棒状部材１１の一部と、リング１２とを示す例示的な断面図である。
【０１５３】
例えばユーザによってレバー１９が操作されると、図３のレバー１９は、第３の回転中心Ａｘ３まわりに、図３における時計回り方向に回転させられる。言い換えると、レバー１９の操作部１０１の先端部１０１ｂが、下フレーム１４に近づけられる。
【０１５４】
図１に示すレバー１９のアーム１０３と、上フレーム１６のアーム４４とはそれぞれ、Ｘ−Ｚ平面に沿って移動する。さらに、レバー１９のアーム１０３の移動経路は、上フレーム１６のアーム４４の移動経路と重なって設けられている。このため、レバー１９の移動（回転）に伴って、レバー１９のアーム１０３が、上フレーム１６のアーム４４を下方向に押す。言い換えると、レバー１９のアーム１０３が、上フレーム１６のアーム４４を、第２の回転中心Ａｘ２まわりに、図３における時計回り方向に押す。
【０１５５】
アーム４４が押されることにより、下フレーム１４、上フレーム１６、及びスタック部１７に、互いに近づける力が作用する。すなわち、下フレーム１４は、スタック部１７に近づくように、第２の回転中心Ａｘ２まわりに、図３における反時計回り方向に押される。上フレーム１６は、スタック部１７に近づくように、第２の回転中心Ａｘ２まわりに、図３における時計回り方向に押される。
【０１５６】
図３に示す第２の離間バネ１０６は、第１の離間バネ１０５よりもバネ定数が高い。さらに、第２の回転中心Ａｘ２から第１の離間バネ１０５までの半径Ｒｓｐ１は、第２の回転中心Ａｘ２から第２の離間バネ１０６までの半径Ｒｓｐ２よりも長い。このため、第１の離間バネ１０５が先に縮み、下フレーム１４がスタック部１７に近づけられるが、上フレーム１６とスタック部１７との相対的な位置はほぼ変わらず保たれる。
【０１５７】
図１３に示すように、下フレーム１４がスタック部１７に近づくことで、スタック部１７の第１のレール部材５６及び第２のレール部材５７が、棒状部材１１の周面１１１に接触する。すなわち、棒状部材１１の下フレーム１４とは反対側に設けられたスタック部１７の第１のレール部材５６及び第２のレール部材５７が、棒状部材１１を支持する。第１及び第２のレール部材５６，５７が棒状部材１１に接触した状態において、棒状部材１１の中心軸Ｃ１と、リング１２の中心Ｃ２と、スタック部１７の長手方向（Ｘ軸）とは、ほぼ平行に配置される。
【０１５８】
図１４に示すように、第１のレール部材５６の第１の保持壁６１と第１のガイド６２との角部分が、棒状部材１１に接触する。棒状部材１１の中心軸Ｃ１とスタック部１７の長手方向とが平行に配置されるため、第１のレール部材５６は棒状部材１１の周面１１１に線接触、又は面接触する。なお、第１のレール部材５６は、棒状部材１１の周面１１１に点接触しても良い。
【０１５９】
同じく、第２のレール部材５７の第２の保持壁６５と第２のガイド６６との角部分が、棒状部材１１に接触する。第２のレール部材５７は棒状部材１１の周面１１１に線接触、又は面接触する。なお、第２のレール部材５７は、棒状部材１１の周面１１１に点接触しても良い。
【０１６０】
第１及び第２のレール部材５６，５７は、棒状部材１１を径方向に支持する。第１及び第２のレール部材５６，５７は、棒状部材１１が径方向（上方向）に移動することを制限し、棒状部材１１を径方向に位置決めする。
【０１６１】
第２のレール部材５７の第２のガイド６６は、棒状部材１１の周方向に隙間を介して、第１のレール部材５６の第１のガイド６２と並べられる。このため、スタック部１７は、互いに離間した二つの部分（第１及び第２のレール部材５６，５７）によって、大よそ上方向から棒状部材１１を支持する。さらに、図１５に示すように、下フレーム１４の支持壁２３の凹面２３ａが、下方向から棒状部材１１を支持する。このように、棒状部材１１は、周方向において三つの部分（支持壁２３の凹面２３ａと図１４の第１及び第２のレール部材５６，５７）で支持される。これにより、棒状部材１１は、第１及び第２のレール部材５６，５７に支持された状態において、下フレーム１４とスタック部１７との間に保持され、径方向（上方向及び下方向に限らない）に移動することを制限され、径方向に位置決めされる。別の表現をすれば、棒状部材１１は、下フレーム１４とスタック部１７とによって、互いに反対方向から支持され、挟持される。
【０１６２】
棒状部材１１が下フレーム１４の支持壁２３と、スタック部１７の第１及び第２のレール部材５６，５７とに保持されると、スタック部１７の押出口７４が、棒状部材１１の溝１１２に面する。さらに、スタック部１７に収容され押出口７４に面するリング１２の隙間１２３が、押出口７４を通じて棒状部材１１の溝１１２に面する。言い換えると、棒状部材１１の軸方向において、リング１２、押出口７４、及び棒状部材１１の溝１１２が、略同一位置に配置される。
【０１６３】
図１４に示すように、第１及び第２のレール部材５６，５７が棒状部材１１に接触することにより、下フレーム１４がさらにスタック部１７に向かって移動することが制限される。なお、下フレーム１４又はスタック部１７に、下フレーム１４がさらにスタック部１７に向かって移動することを制限するストッパが設けられても良い。
【０１６４】
以上のように、上フレーム１６がスタック部１７から離間し、互いに近づけられた下フレーム１４及びスタック部１７が棒状部材１１を支持し、可動部材１５が下フレーム１４に接触する状態における、リング装着装置１０の各部分の位置を、保持位置Ｐ２と定義する。上フレーム１６に対するスタック部１７の位置と、下フレーム１４に対する可動部材１５の位置とは、初期位置Ｐ１及び保持位置Ｐ２とで共通である。
【０１６５】
図１６は、第１の実施形態のリング装着装置１０の一部と、棒状部材１１の一部と、移動させられたリング１２とを示す例示的な正面図である。レバー１９がさらに図３における時計回り方向に回転させられると、図３の第２の離間バネ１０６が縮み、上フレーム１６がスタック部１７に近づけられる。言い換えると、上フレーム１６は、第２の回転中心Ａｘ２まわりに、図３における時計回り方向に回転させられる。
【０１６６】
図１６に示すように、上フレーム１６がスタック部１７に近づくことで、スタック部１７の受け壁７３に支持されたリング１２は、弧状部１２１が押板４３の凹部４３ｃ内に収容された状態で、押部４３ｂに支持される。上フレーム１６の押板４３の押部４３ｂが、当該リング１２を下方向に押す。下方向は、棒状部材１１の軸方向との交差方向の一例であり、図９の棒状部材１１の中心軸Ｃ１とほぼ直交する。凹部４３ｃは、リング１２が径方向に移動することを抑制し、リング１２を径方向に位置決めする。
【０１６７】
上フレーム１６の押部４３ｂがリング１２を押すと、リング１２が図１２のスタック部１７の押出口７４を通り、棒状部材１１の溝１１２に向かって移動させられる。押部４３ｂに押されたリング１２の弧状部１２１の両端部１２２，１２２のうち少なくとも一方が、可動部材１５の前壁３３の端面３３ａに近接して接触する。すなわち、リング１２は、棒状部材１１の溝１１２内に装着される前に、前壁３３の端面３３ａに接触する。さらに詳しく述べると、リング１２は、棒状部材１１が、リング１２の隙間１２３に挿入され弧状部１２１が弾性変形する前に、前壁３３の端面３３ａに接触する。言い換えると、押部４３ｂによって押されたリング１２の両端部１２２，１２２のうち少なくとも一方が前壁３３の端面３３ａに近接して、棒状部材１１が隙間１２３に入る前に前壁３３の端面３３ａに接触する。
【０１６８】
レバー１９がさらに図３における時計回り方向に回転させられると、上フレーム１６の押部４３ｂが、リング１２をさらに押す。図１の捩りバネ１０７は、可動部材１５の回転壁３１を、下フレーム１４に向かって押す。言い換えると、捩りバネ１０７は、可動部材１５の回転壁３１及び前壁３３を上方向に押す。このため、リング１２の一方の端部１２２が前壁３３に接触した状態となったとしても、押部４３ｂがリング１２を下方向に押したときに、可動部材１５の前壁３３が下方向に移動することが抑制される。このため、前壁３３が図１６の位置に保たれた状態で、押部４３ｂが当該前壁３３に近づき、リング１２を押してその傾きを矯正する。
【０１６９】
以上のように、上フレーム１６がスタック部１７に近づけられ、互いに近づけられた下フレーム１４及びスタック部１７が棒状部材１１を支持し、可動部材１５が下フレーム１４に接触し、リング１２の両端部１２２，１２２が可動部材１５に支持される状態における、リング装着装置１０の各部分の位置を、リング支持位置Ｐ３と定義する。下フレーム１４に対するスタック部１７の位置と、下フレーム１４に対する可動部材１５の位置とは、保持位置Ｐ２及びリング支持位置Ｐ３とで共通である。
【０１７０】
図１７は、第１の実施形態のリング装着装置１０の一部と、棒状部材１１の一部と、挿入途中のリング１２とを示す例示的な正面図である。図１８は、第１の実施形態のリング装着装置１０の一部と、棒状部材１１の一部と、挿入途中のリング１２とを示す例示的な断面図である。図１７に示すように、前壁３３の端面３３ａがリング１２の両端部１２２，１２２を支持した状態で、上フレーム１６の押部４３ｂが、リング１２をさらに押す。
【０１７１】
押部４３ｂは、棒状部材１１が隙間１２３を通るように、リング１２を下方向に押す。押されるリング１２の二つの端部１２２，１２２に棒状部材１１の溝１１２の底面が押し当てられ、弧状部１２１は、端部１２２，１２２間の隙間１２３が広がるように弾性変形する。
【０１７２】
上記のように、前壁３３の端面３３ａが、リング１２の両端部１２２，１２２を支持する。このため、可動部材１５の前壁３３は、リング１２を介して、当該リング１２を下方向に押す上フレーム１６の押部４３ｂに押される。これにより、図１８に示すように、前壁３３は、第１の回転中心Ａｘ１まわりに、図１８の時計回り方向に回転させられる。別の表現をすれば、棒状部材１１の上フレーム１６とは反対側に設けられた可動部材１５が、リング１２を介して上フレーム１６の押部４３ｂに押し下げられる。
【０１７３】
前壁３３が回転させられることで、回転壁３１が、下フレーム１４のネジ２５から下方向に離れる。さらに、図１７に示すように、前壁３３の縁３３ｃが、棒状部材１１から下方向に離れる。このように、上フレーム１６の押部４３ｂが棒状部材１１に近づくのに伴って、可動部材１５は、棒状部材１１から下方向に離れるように、第１の回転中心Ａｘ１まわりに回転させられる。なお、図１７に示す状態において、前壁３３の縁３３ｃの一部は、棒状部材１１の溝１１２内に位置し、棒状部材１１が軸方向に移動することを制限する。
【０１７４】
図１９は、第１の実施形態のリング装着装置１０の一部と、棒状部材１１の一部と、装着されたリング１２とを示す例示的な正面図である。図２０は、第１の実施形態のリング装着装置１０の一部と、棒状部材１１の一部と、装着されたリング１２とを示す例示的な断面図である。
【０１７５】
図１９に示すように、上フレーム１６の押部４３ｂがリング１２をさらに押すとことで、棒状部材１１が隙間１２３を通って、弾性変形する弧状部１２１の内側に挿入される。棒状部材１１が隙間１２３を通過すると、互いに離れていた二つの端部１２２，１２２間は元の位置に戻り、図１０のリング１２の突起１２４が溝１１２内に挿入される。
【０１７６】
棒状部材１１が隙間１２３を通過する間、可動部材１５の前壁３３は、リング１２を介して、当該リング１２を下方向に押す上フレーム１６の押部４３ｂにさらに押される。その結果、リング１２が溝１１２内に装着された状態で、前壁３３の縁３３ｃは、溝１１２の外に移動させられる。このため、前壁３３による、棒状部材１１が軸方向に移動することの制限が解除される。
【０１７７】
上述のように、前壁３３の縁３３ｃは、端面３３ａからＺ軸に沿う正方向に平行に延びる二つの部分と、当該二つの部分を接続する円弧状の部分と、を有する。このため、縁３３ｃの円弧状の部分が溝１１２の外に出たとしても、縁３３ｃの平行に延びる二つの部分が溝１１２の中にある場合、前壁３３は、棒状部材１１が軸方向に移動することを制限する。言い換えると、前壁３３は、縁３３ｃの円弧状の部分が溝１１２の外に出た位置から、さらに所定の距離移動することで、棒状部材１１が軸方向に移動することの制限を解除する。
【０１７８】
以上のように、上フレーム１６がスタック部１７に近づけられ、互いに近づけられた下フレーム１４及びスタック部１７が棒状部材１１を支持し、可動部材１５の前壁３３の縁３３ｃが棒状部材１１の溝１１２の外に位置し、リング１２の両端部１２２，１２２が可動部材１５に支持される状態における、リング装着装置１０の各部分の位置を、装着位置Ｐ４と定義する。下フレーム１４に対するスタック部１７の位置は、リング支持位置Ｐ３及び装着位置Ｐ４とで共通である。
【０１７９】
図３に示す第１の回転中心Ａｘ１から前壁３３の端面３３ａまでの半径Ｒｓは、第２の回転中心Ａｘ２から押板４３の押部４３ｂまでの半径Ｒｐよりも小さい。このため、図１６のリング支持位置Ｐ３から図１９の装着位置Ｐ４までの区間における、第１の回転中心Ａｘ１回りの可動部材１５の回転角度は、第２の回転中心Ａｘ２回りの上フレーム１６の回転角度よりも大きい。このため、可動部材１５の前壁３３の縁３３ｃは、速やかに棒状部材１１の溝１１２から外される。
【０１８０】
以上のように動作する連動機構Ｍは、アーム３４，４４，１０３の位置と、回転中心Ａｘ１〜Ａｘ３の位置と、第１の離間バネ１０５、第２の離間バネ１０６、及び捩りバネ１０７の位置及びバネ定数と、の設定によって、下フレーム１４、可動部材１５、上フレーム１６、及びスタック部１７の動く範囲や、動くタイミング、動く速さ等を適宜設定され得る。例えば、本実施形態では、リング１２の両端部１２２，１２２が、前壁３３の端面３３ａと接触した時点以降に、可動部材１５が装着位置Ｐ４への移動を開始するよう、各部分のスペックが調整される。
【０１８１】
第１の実施形態に係るリング装着装置１０において、プッシャ１８に、当該プッシャ１８をスタック部１７に取り付けるための嵌合部材８６と、リング１２を押すプッシャ部８２と、レール５１の、スタッカ５３に覆われていない露出部５１ｂを覆うバックカバー８１とが設けられる。このため、ユーザは、レール５１の露出された露出部５１ｂにリング１２を支持させ、プッシャ１８をスタック部１７に取り付けることで、リング１２を受け壁７３に押しつけることができるとともに、レール５１の露出された露出部５１ｂをバックカバー８１で覆うことができる。
【０１８２】
レール５１の露出部５１ｂが露出されるため、ユーザは、レール５１にリング１２を容易に支持させることができる。しかし、レール５１の露出部５１ｂは、露出されるため、損傷しやすい可能性がある。レール５１の露出部５１ｂが損傷すると、レール５１にリング１２を支持させることが困難になることがある。
【０１８３】
本実施形態では、このような露出部５１ｂがバックカバー８１に覆われる。従って、レール５１の露出された露出部５１ｂが確実にバックカバー８１によって保護され、露出部５１ｂが損傷することが抑制される。
【０１８４】
レール５１は、上方向に突出し、リング１２の隙間１２３に挿入される第１及び第２のガイド６２，６６を有する。当該第１及び第２のガイド６２，６６が変形すると、例えば、レール５１にリング１２を支持させることが困難になったり、レール５１に支持されたリング１２が不安定になったりすることがある。本実施形態において、バックカバー８１は、少なくとも上方向から露出部５１ｂを覆う。これにより、第１及び第２のガイド６２，６６が保護され、第１及び第２のガイド６２，６６が変形することが抑制される。
【０１８５】
露出部５１ｂは、Ｘ軸に沿う方向に開口するバックカバー８１の収容口８３に収容される。このため、バックカバー８１は、Ｘ軸に沿う方向と交差する方向（Ｚ軸に沿う方向、Ｙ軸に沿う方向）から露出部５１ｂを覆う。これにより、レール５１の露出された露出部５１ｂが確実にバックカバー８１に覆われ、露出部５１ｂが損傷することが抑制される。
【０１８６】
プッシャ１８は、嵌合部材８６を前方向に移動させた後、上方向に移動させることで、スタック部１７から取り外し可能となる。言い換えると、プッシャ１８は、複数の動作を経て、スタック部１７から取り外し可能となる。このため、バックカバー８１がスタック部１７から容易に取り外されることが抑制される。従って、例えばユーザの作業中にバックカバー８１が何かにぶつかることで不用意にバックカバー８１が露出部５１ｂから外れることが抑制され、露出部５１ｂが損傷することがより確実に抑制される。
【０１８７】
嵌合部材８６は、バックカバー８１に対して上方向に移動可能に当該バックカバー８１に接続される。これにより、バックカバー８１を上方向に移動させなくても、嵌合部材８６を上方向に移動させることでプッシャ１８がスタック部１７から外される。
【０１８８】
嵌合部材８６のボタン部９４の表面９４ａは、バックカバー８１のカバー部材８５の外面９５ｂと同一面を形成し、又は当該外面９５ｂよりも露出部５１ｂに近い。これにより、例えばユーザの作業中にボタン部９４の表面９４ａが何かにぶつかることで不用意にバックカバー８１が露出部５１ｂから外れることが抑制され、露出部５１ｂが損傷することがより確実に抑制される。
【０１８９】
挿通孔７８ａは、第１のレール部材５６及び第２のレール部材５７ではなく、ステー５４に設けられる。これにより、一部がリング１２の隙間１２３に通される第１のレール部材５６及び第２のレール部材５７が、プッシャ１８をスタック部１７に取り付ける際に損傷することが抑制される。さらに、第１及び第２のレール部材５６，５７とは別個の部品であるステー５４が設けられることで、ステー５４を第１及び第２のレール部材５６，５７よりも厚くすることができる。このようなステー５４によりレール５１が補強され、レール５１が損傷することが抑制される。
【０１９０】
第１のレール部材５６の第１のガイド６２と、第２のレール部材５７の第２のガイド６６との間に隙間が設けられる。第１及び第２のガイド６２，６６の間の隙間の幅が変化すると、例えば、レール５１にリング１２を支持させることが困難になったり、レール５１に支持されたリング１２が不安定になったりすることがある。
【０１９１】
本実施形態では、ステー５４は、第１のレール部材５６の第１の側壁６３に取り付けられる第１の取付壁７６と、第２のレール部材５７の第２の側壁６７に取り付けられる第２の取付壁７７と、第１の取付壁７６と第２の取付壁７７とを接続する接続壁７８とを有する。このようなステー５４により、第１のレール部材５６の第１のガイド６２と、第２のレール部材５７の第２のガイド６６との間の隙間が変化することが抑制される。
【０１９２】
プッシャ部８２のブロック９６は、ロッド９５が通される孔９６ｃが設けられた挿通部９６ａを有する。挿通部９６ａは、孔９６ｃが設けられるため、Ｘ軸に沿う方向と交差する方向（Ｚ軸に沿う方向）に所定の寸法を有する。このため、ブロック９６が挿通部９６ａのみを有する場合、挿通部９６ａが他の部分に干渉し、ブロック９６の移動が制限されることがある。しかし、本実施形態では接触部９６ｂが挿通部９６ａから受け壁７３に向かって延びる。接触部９６ｂは、孔９６ｃが設けられる挿通部９６ａよりも寸法が制限されにくく、Ｚ軸に沿う方向において挿通部９６ａよりも小さくされることができる。従って、接触部９６ｂは、挿通部９６ａが干渉し得る部分を避けてリング１２に接触することができ、レール５１に支持されるリング１２の数が少なくなっても確実に受け壁７３にリング１２を押し付けることができる。
【０１９３】
ロッド９５が、バックカバー８１に固定されてＸ軸に沿う方向に延びる。このようなロッド９５及びバックカバー８１を有するプッシャ１８に、Ｘ軸に沿う方向と交差する上方向及び下方向に移動可能であり、挿通孔７８ａに嵌ることでプッシャ１８がスタック部１７に取り付けられた状態にする嵌合部材８６が設けられる。嵌合部材８６は、Ｘ軸に沿う方向からスタック部１７に押されることで、上方向及び下方向における弾性的な移動を伴って挿通孔７８ａに嵌る。従って、プッシャ１８がスタック部１７に容易に取り付けられる。
【０１９４】
以下に、第２の実施形態について、図２１乃至図２９を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【０１９５】
図２１は、第２の実施形態に係るリング装着装置１０を示す例示的な斜視図である。図２２は、第２の実施形態のリング装着装置１０を示す例示的な断面図である。図２２に示すように、第２の実施形態のスタック部１７は、ステー５４の代わりに、爪部材２０１と、バネ２０２と、ホルダ２０３とを有する。爪部材２０１は、係合部の一例である。バネ２０２は、係合付勢部の一例である。ホルダ２０３は、第３のカバーの一例である。
【０１９６】
図２３は、第２の実施形態のスタック部１７及びプッシャ１８を、スタック部１７の一部及びプッシャ１８の一部を除いて示す例示的な斜視図である。図２３に示すように、第２の実施形態のレール５１は、略Ｔ字状の断面を有するとともにＸ軸に沿う方向に延びる棒状に形成される。レール５１は、他の形状を有しても良い。
【０１９７】
図２４は、第２の実施形態のリング装着装置１０を、図２２のＦ２４−Ｆ２４線に沿って示す例示的な断面図である。図２４に示すように、レール５１は、縦部２１１と、横部２１２とを有する。縦部２１１及び横部２１２は、ガイドの一例である。
【０１９８】
縦部２１１は、スタッカ５３からＺ軸に沿う方向に突出するとともに、Ｘ軸に沿う方向に延びる。横部２１２は、縦部２１１のＺ軸に沿う負方向の端部に接続され、縦部２１１からＹ軸に沿う方向に突出するとともにＸ軸に沿う方向に延びる。
【０１９９】
縦部２１１及び横部２１２は、図１０のリング１２の隙間１２３に挿入されることで、リング１２を支持する。Ｙ軸に沿う方向における横部２１２の長さは、リング１２の両端部１２２，１２２の間の距離よりも長い。このため、横部２１２は、リング１２がレール５１からＺ軸に沿う方向に外れることを抑制する。
【０２００】
図２３に示すように、第２の実施形態のスタッカ５３は、留め壁７１及び覆壁７２の代わりに、底壁２１５と、二つの側壁２１６と、二つの上壁２１７とを有する。底壁２１５は、基部の一例である。
【０２０１】
図２５は、第２の実施形態のスタック部１７の一部及びプッシャ１８の一部を示す例示的な断面図である。底壁２１５は、Ｘ−Ｙ平面に広がる略矩形の板状に形成される。底壁２１５は、Ｘ軸に沿う方向に延びる。図２５に示すように、底壁２１５は、下面２１５ａと、上面２１５ｂと、突起２１５ｃとを有する。
【０２０２】
下面２１５ａは、Ｚ軸に沿う正方向に向く。上面２１５ｂは、下面２１５ａの反対側に位置し、Ｚ軸に沿う負方向に向く。突起２１５ｃは、下面２１５ａからＺ軸に沿う正方向に突出する。
【０２０３】
底壁２１５の上面２１５ｂに、レール５１の縦部２１１が、例えばネジによって取り付けられる。言い換えると、底壁２１５からレール５１がＺ軸に沿う負方向に突出する。底壁２１５は、スタック部１７に収容されたリング１２の一部を、下方向から覆う。
【０２０４】
図２４に示すように、二つの側壁２１６は、底壁２１５の短手方向（Ｙ軸に沿う方向）の両端部から、底壁２１５と交差する（例えば直交する）方向に立ち上がる。二つの側壁２１６はそれぞれ、底壁２１５から、大よそ上方向に立ち上がる。
【０２０５】
スタッカ５３の二つの側壁２１６は、レール５１の一部を覆う。このため、レール５１に、スタッカ５３に覆われた被覆部５１ａと、スタッカ５３の外に位置する露出部５１ｂとが設けられる。
【０２０６】
図２３に示すように、二つの上壁２１７は、二つの側壁２１６のＺ軸に沿う負方向の端部から互いに近づく方向に突出する。上壁２１７は、対応する一方の側壁２１６から、他方の側壁２１６に向かって突出する。図２２に示すように、二つの上壁２１７は、第２の離間バネ１０６を支持する。上壁２１７は、スタック部１７に収容されたリング１２の一部を、上方向から覆う。
【０２０７】
レール５１の被覆部５１ａに支持された複数のリング１２は、スタッカ５３に覆われる。二つの側壁２１６は、レール５１の被覆部５１ａと、レール５１に支持されてスタック部１７に収容された複数のリング１２と、をＹ軸に沿う方向から覆う。二つの上壁２１７は、レール５１の被覆部５１ａと、レール５１に支持されてスタック部１７に収容された複数のリング１２と、をＺ軸に沿う負方向から覆う。このように、レール５１の被覆部５１ａと、スタック部１７に収容された複数のリング１２とは、Ｙ軸に沿う方向及びＺ軸に沿う方向からスタック部１７に覆われる。
【０２０８】
図２４に示すように、二つの側壁２１６は、レール５１の露出部５１ｂを、Ｙ軸に沿う方向から部分的に覆う。しかし、レール５１の露出部５１ｂの一部は、Ｙ軸に沿う方向から見た場合に部分的に露出しており、視認可能である。
【０２０９】
図２１に示すように、第２の実施形態において、スタック部１７は、一つの受け壁７３を有する。受け壁７３は、スタック部１７の底壁２１５、側壁２１６、及び上壁２１７とは別個の部品であって、例えば側壁２１６に取り付けられる。第１の実施形態と同じく、レール５１の前方向の端部と、受け壁７３との間に、押出口７４が設けられる。
【０２１０】
図２５に示すように、爪部材２０１は、爪２２１と、当接壁２２２と、二つのガイド部２２３とを有する。爪部材２０１は、例えば、合成樹脂によって作られる。なお、爪部材２０１は、金属のような他の材料によって作られても良い。爪部材２０１は、合成樹脂によって作られることで、金属によって作られる場合に比べて安価に製造され得る。
【０２１１】
爪２２１は、Ｙ軸に沿う方向に延びる略三角柱状に形成される。爪２２１は、支持面２２１ａと、第１の傾斜面２２１ｂと、第２の傾斜面２２１ｃと、内面２２１ｄと、突起２２１ｅとを有する。
【０２１２】
支持面２２１ａは、爪２２１のＸ軸に沿う正方向の端に位置し、Ｘ軸に沿う正方向に向く略平坦な面である。なお、支持面２２１ａは、他の方向に向いても良いし、他の形状に形成されても良い。
【０２１３】
第１の傾斜面２２１ｂは、支持面２２１ａのＺ軸に沿う正方向の端から、斜め下方向に延びる。言い換えると、第１の傾斜面２２１ｂは、支持面２２１ａに接続される。第１の傾斜面２２１ｂは、Ｘ軸に沿う負方向に向かうに従ってＺ軸に沿う正方向に延びる。
【０２１４】
第２の傾斜面２２１ｃは、第１の傾斜面２２１ｂのＺ軸に沿う正方向の端から、斜め上方向に延びる。言い換えると、第２の傾斜面２２１ｃは、第１の傾斜面２２１ｂに接続される。第１の傾斜面２２１ｂと第２の傾斜面２２１ｃとが接続される部分は、爪２２１のＺ軸に沿う正方向における頂部を形成する。第２の傾斜面２２１ｃは、Ｘ軸に沿う負方向に向かうに従ってＺ軸に沿う負方向に延びる。
【０２１５】
内面２２１ｄは、Ｚ軸に沿う負方向に向く。内面２２１ｄは、スタッカ５３の底壁２１５の下面２１５ａに向く。突起２２１ｅは、内面２２１ｄから、Ｚ軸に沿う負方向に突出する。爪２２１の突起２２１ｅは、底壁２１５の突起２１５ｃと対向する。
【０２１６】
当接壁２２２は、爪２２１の第２の傾斜面２２１ｃのＺ軸に沿う負方向の端から、Ｘ軸に沿う負方向に延びる。二つのガイド部２２３は、爪２２１のＸ軸に沿う正方向の端と、当接壁２２２のＸ軸に沿う負方向の端とから、Ｙ軸に沿う方向に突出する。二つのガイド部２２３は、支持面２２１ａよりもＺ軸に沿う負方向に位置する。
【０２１７】
図２３に示すように、爪部材２０１は、Ｘ軸に沿う方向において、第２の軸４７と大よそ同一位置に配置される。第２の軸４７は、回転軸の一例である。このため、Ｘ軸に沿う方向において、爪部材２０１とスタック部１７の後端部１７ｂとの間の距離は、爪部材２０１と第２の軸４７との間の距離よりも長い。
【０２１８】
図２５に示されるバネ２０２は、例えば、金属によって作られるコイルバネ（圧縮バネ）である。バネ２０２は、板バネのような他のバネや、他の付勢手段であっても良い。バネ２０２は、大よそＺ軸に沿う方向に延びる。
【０２１９】
バネ２０２は、底壁２１５の下面２１５ａと、爪２２１の内面２２１ｄとの間に介在する。バネ２０２は、爪部材２０１を、レール５１からＺ軸に沿う方向に遠ざかるように弾性的に押す。Ｚ軸に沿う方向は、第７の方向の一例である。
【０２２０】
ホルダ２０３は、スタッカ５３の底壁２１５の下面２１５ａに、例えば二つのネジ２２５によって取り付けられる。言い換えると、ホルダ２０３は、底壁２１５のレール５１とは反対側に位置して、底壁２１５に取り付けられる。これにより、ホルダ２０３は、レール５１及びスタッカ５３を補強する。
【０２２１】
ホルダ２０３は、二つの側壁２２６と、底壁２２７と、二つのボス２２８とを有する。側壁２２６及び底壁２２７は、例えば、合成樹脂によって作られる。ボス２２８は、例えば、金属によって作られる。
【０２２２】
二つの側壁２２６はそれぞれ、Ｘ‐Ｚ平面に広がる略台形の板状に形成される。二つの側壁２２６は、Ｘ軸に沿う方向に延びる。側壁２２６のＺ軸に沿う負方向の端は、スタッカ５３の底壁２１５の下面２１５ａに接触する。
【０２２３】
二つの側壁２２６にそれぞれ、二つの溝２２６ａが設けられる。溝２２６ａはそれぞれ、側壁２２６の内面に設けられ、Ｚ軸に沿う方向に延びる窪みである。二つの側壁２２６に、爪部材２０１のガイド部２２３が嵌め込まれる。これにより、爪部材２０１は、Ｚ軸に沿う方向に移動可能にホルダ２０３に取り付けられる。
【０２２４】
底壁２２７は、二つの側壁２２６の、Ｚ軸に沿う正方向の端部を接続する。これにより、ホルダ２０３は、上方向に開放された略台形の箱状に形成される。底壁２２７は、底面２２７ａと、ガイド面２２７ｂと、内面２２７ｃとを有する。底面２２７ａは、第１の面の一例である。ガイド面２２７ｂは、第２の面の一例である。
【０２２５】
底面２２７ａ及びガイド面２２７ｂはそれぞれ、ホルダ２０３の外面の一部である。底面２２７ａは、Ｚ軸に沿う正方向に向き、Ｘ軸に沿う方向に延びる。底面２２７ａは、スタック部１７の後端部１７ｂから、Ｘ軸に沿う正方向に離間し、且つＺ軸に沿う正方向に離間する。
【０２２６】
ガイド面２２７ｂは、底面２２７ａのＸ軸に沿う負方向の端と、スタック部１７の後端部１７ｂとを接続する。ガイド面２２７ｂは、Ｘ軸に沿う方向において後端部１７ｂから前端部１７ａに向かうに従って、Ｚ軸に沿う方向において底面２２７ａに近づくよう延びる。ガイド面２２７ｂは、ホルダ２０３の外部に凸な曲面である。ガイド面２２７ｂは、平面や、他の形状を有する面であっても良い。
【０２２７】
内面２２７ｃは、底面２２７ａ及びガイド面２２７ｂの反対側に位置する。内面２２７ｃは、スタッカ５３の底壁２１５の下面２１５ａに向く。内面２２７ｃは、Ｚ軸に沿う負方向に向く面を含むが、他の方向に向く面をも含む。
【０２２８】
ボス２２８は、略円筒形に形成され、例えば、スタッカ５３の底壁２１５の下面２１５ａに加締めによって取付られる。ネジ２２５が底壁２２７をボス２２８に取り付けることで、ホルダ２０３がスタッカ５３及びレール５１に取り付けられる。
【０２２９】
ホルダ２０３に、挿通孔２２９が設けられる。挿通孔２２９は、第２の孔の一例である。挿通孔２２９は、底壁２２７に設けられ、底面２２７ａと、内面２２７ｃとに開口する。挿通孔２２９は、爪部材２０１が挿通可能な大きさを有する。
【０２３０】
図２６は、第２の実施形態のスタック部１７の一部と、スタック部１７に対して取り付け又は取り外し途中のプッシャ１８の一部とを示す例示的な断面図である。爪部材２０１は、少なくとも部分的にホルダ２０３に収容される。爪部材２０１は、図２５に示す突出位置Ｐｐと、図２６に二点鎖線で示す収容位置Ｐａと、の間でＺ軸に沿う方向に移動可能である。
【０２３１】
図２５に示すように、突出位置Ｐｐにおいて、爪部材２０１の爪２２１が、挿通孔２２９からホルダ２０３の外部に突出する。突出位置Ｐｐにおいて、爪２２１の支持面２２１ａと、第１の傾斜面２２１ｂと、第２の傾斜面２２１ｃの少なくとも一部と、がホルダ２０３の外部に位置する。さらに、当接壁２２２が、ホルダ２０３の底壁２２７の内面２２７ｃに支持される。これにより、バネ２０２に押された爪部材２０１がホルダ２０３の外部に出ることが抑制される。
【０２３２】
図２６に二点鎖線で示すように、収容位置Ｐａにおいて、爪２２１の支持面２２１ａと、第１の傾斜面２２１ｂと、第２の傾斜面２２１ｃとは、ホルダ２０３の内部に位置する。なお、第１の傾斜面２２１ｂの一部と、第２の傾斜面２２１ｃの一部とは、ホルダ２０３の外部に位置しても良い。収容位置Ｐａに位置する爪部材２０１は、突出位置Ｐｐに位置する爪部材２０１よりも、レール５１に近い。
【０２３３】
例えば、突出位置Ｐｐに位置する爪部材２０１がユーザによって上方向に押し込まれると、バネ２０２が圧縮され、爪部材２０１が収容位置Ｐａに向かって上方向に弾性的に移動する。ユーザが爪部材２０１から指を離すと、バネ２０２が爪部材２０１を下方向に弾性的に移動させ、爪部材２０１が突出位置Ｐｐに戻る。
【０２３４】
爪部材２０１及び挿通孔２２９は、Ｘ軸に沿う方向において、二つのネジ２２５の間に位置する。言い換えると、Ｘ軸に沿う方向における爪部材２０１及び挿通孔２２９の両隣りで、ネジ２２５がホルダ２０３をスタッカ５３の底壁２１５に取り付ける。これにより、バネ２０２の弾性力によりホルダ２０３が浮き上がることが抑制される。
【０２３５】
図２２に示すように、爪部材２０１と第３の軸１０２との間の距離は、レバー１９の操作部１０１の先端部１０１ｂと第３の軸１０２との間の距離よりも長い。このため、レバー１９の操作部１０１が最大限回動させられたときに、操作部１０１の先端部１０１ｂは、爪部材２０１から離間する。
【０２３６】
図２７は、第２の実施形態のプッシャ１８を示す例示的な断面図である。図２７に示すように、第２の実施形態のバックカバー８１は、カバー部材８５を有するが、嵌合部材８６を有さない。
【０２３７】
二つのカバー部材８５はそれぞれ、二つの係合部８５ｃを有する。係合部８５ｃは、例えば、爪である。一方のカバー部材８５に設けられた係合部８５ｃは、他方のカバー部材８５に設けられた係合部８５ｃに係合する。これにより、二つのカバー部材８５が互いに固定される。二つの係合部８５ｃは、Ｘ軸に沿う方向に並べられる。
【０２３８】
バックカバー８１は、底壁２３１と、上壁２３２と、二つの側壁２３３と、後壁２３４と、複数のリブ２３５とを有する。底壁２３１は、第１の壁の一例である。上壁２３２は、第２の壁の一例である。リブ２３５は、第３の壁の一例である。
【０２３９】
底壁２３１及び上壁２３２はそれぞれ、大よそＸ‐Ｙ平面に広がる略矩形の板状に形成され、Ｘ軸に沿う方向に延びる。上壁２３２は、底壁２３１からＺ軸に沿う負方向に離間する。係合部８５ｃは、底壁２３１に設けられる。
【０２４０】
底壁２３１は、前縁部２３１ａを有する。前縁部２３１ａは、第３の縁部の一例である。前縁部２３１ａは、底壁２３１の前方向の縁である。言い換えると、前縁部２３１ａは、Ｘ軸に沿う方向においてスタック部１７の前端部１７ａに向く。前縁部２３１ａは、収容口８３の開口端の一部を形成する。
【０２４１】
上壁２３２は、前縁部２３２ａを有する。前縁部２３２ａは、第２の縁部の一例である。前縁部２３２ａは、上壁２３２の前方向の縁である。言い換えると、前縁部２３２ａは、Ｘ軸に沿う方向においてスタック部１７の前端部１７ａに向く。前縁部２３２ａは、収容口８３の開口端の一部を形成する。
【０２４２】
側壁２３３は、前縁部２３３ａを有する。前縁部２３３ａは、側壁２３３の前方向の縁である。側壁２３３の前縁部２３３ａは、上壁２３２の前縁部２３２ａから下方向に延びる部分と、当該部分から底壁２３１の前縁部２３１ａに向かって略前方向に延びる部分と、を有する。前縁部２３３ａは、収容口８３の開口端の一部を形成する。
【０２４３】
Ｘ軸に沿う方向において、底壁２３１は、上壁２３２よりも長い。Ｘ軸に沿う方向において、底壁２３１の前縁部２３１ａは、上壁２３２の前縁部２３２ａよりも、スタック部１７の前端部１７ａに近い。
【０２４４】
バックカバー８１は、延出部２３９を有する。延出部２３９は、底壁２３１と、側壁２３３の一部とを含む。図２１に示すように、延出部２３９は、Ｘ軸に沿う方向において、上フレーム１６のＸ軸に沿う負方向の端部１６ａよりも、スタック部１７の前端部１７ａに向かって突き出た部分である。延出部２３９は、Ｙ軸に沿う方向から見た場合、略三角形に形成される。
【０２４５】
図２７に示すように、底壁２３１に、開口８７の代わりに、係合孔２３７が設けられる。係合孔２３７は、第１の孔の一例である。係合孔２３７は、爪部材２０１が挿通可能な大きさを有する。係合孔２３７は、延出部２３９に設けられ、二つの係合部８５ｃの間に位置する。
【０２４６】
二つの側壁２３３は、Ｘ‐Ｚ平面に広がり、底壁２３１及び上壁２３２の短手方向（Ｙ軸に沿う方向）の端部を接続する。後壁２３４は、底壁２３１及び上壁２３２のＸ軸に沿う負方向の端部を接続する。
【０２４７】
リブ２３５は、側壁２３３からＹ軸に沿う方向に突出するとともに、Ｚ軸に沿う方向に延びる。リブ２３５に、プッシャ１８のロッド９５が取り付けられる。図２４に示すように、リブ２３５はそれぞれ、第１の縁面２３５ａと、第２の縁面２３５ｂとを有する。
【０２４８】
第１の縁面２３５ａは、リブ２３５のＺ軸に沿う正方向の端部である。第１の縁面２３５ａは、Ｚ軸に沿う正方向に向くとともに、Ｙ軸に沿う方向に延びる。第２の縁面２３５ｂは、第１の縁面２３５ａよりもＺ軸に沿う負方向に位置する。第２の縁面２３５ｂは、Ｚ軸に沿う正方向に向くとともに、Ｙ軸に沿う方向に延びる。
【０２４９】
第１の実施形態と同じように、プッシャ部８２は、後端部１７ｂからスタック部１７に挿入される。このとき、図２３に示すように、ブロック９６の凹部９６ｄに、レール５１の縦部２１１及び横部２１２が嵌め込まれる。これにより、ブロック９６は、レール５１に沿って移動可能になる。さらに、レール５１は、プッシャ１８がスタック部１７に対してＺ軸に沿う方向及びＹ軸に沿う方向に移動することを制限する。
【０２５０】
図２５に示すように、プッシャ部８２がスタック部１７に挿入された状態で、爪部材２０１がバックカバー８１の係合孔２３７に嵌り、係合孔２３７を形成する底壁２３１の縁２３１ｂに引っかかる。縁２３１ｂは、第１の縁部の一例である。これにより、プッシャ１８がスタック部１７に取り外し可能に取り付けられる。縁２３１ｂは、例えば、略四角形に形成された底壁２３１の内縁である。
【０２５１】
以下、プッシャ１８のスタック部１７への取り付けについて具体的に説明する。図２６に示すように、プッシャ部８２がスタック部１７に挿入された状態で、バックカバー８１がスタック部１７の後端部１７ｂに近づけられる。言い換えると、バックカバー８１が前方向に移動させられる。
【０２５２】
上述のように、ブロック９６の凹部９６ｄにレール５１の縦部２１１及び横部２１２が嵌め込まれることで、Ｚ軸に沿う方向及びＹ軸に沿う方向において、バックカバー８１はスタック部１７に対して大よそ位置決めされる。バックカバー８１が前方向に移動させられることで、バックカバー８１の収容口８３に、スタック部１７が後端部１７ｂから収容される。
【０２５３】
バックカバー８１がスタック部１７に対して所定の位置よりも上方向に位置するとき、バックカバー８１の底壁２３１の前縁部２３１ａは、ホルダ２０３のガイド面２２７ｂに接触する。底壁２３１の前縁部２３１ａがガイド面２２７ｂに沿って移動することで、Ｚ軸に沿う方向において、バックカバー８１がスタック部１７に対して所定の位置へとガイドされる。
【０２５４】
バックカバー８１がさらに前方向に移動させられると、底壁２３１の前縁部２３１ａが、爪２２１の第２の傾斜面２２１ｃに接触する。バックカバー８１がさらに前方向に移動させられると、底壁２３１の前縁部２３１ａが、爪２２１の第２の傾斜面２２１ｃを押し、突出位置Ｐｐにある爪部材２０１を上方向に移動させる。図２６は、上方向に移動させられた爪部材２０１を実線で示す。爪部材２０１は、図２６に二点鎖線で示される収容位置Ｐａに向かって移動させられる。
【０２５５】
別の表現によって説明すると、プッシャ１８がスタック部１７から取り外された状態から、プッシャ部８２がスタック部１７に挿入される。このとき、バックカバー８１は、爪部材２０１よりもスタック部１７の前端部１７ａからＸ軸に沿う方向に離間している。バックカバー８１は、この状態からスタック部１７の前端部１７ａへＸ軸に沿う方向に近づくとき、爪部材２０１がレール５１へＺ軸に沿う方向に近づくように、爪２２１の第２の傾斜面２２１ｃを押す。バックカバー８１に押された爪部材２０１は、収容位置Ｐａに移動する。
【０２５６】
収容位置Ｐａに移動させられた爪部材２０１は、バネ２０２によって押される。しかし、前方向に移動させられたバックカバー８１の底壁２３１が、爪部材２０１を支持する。言い換えると、爪部材２０１が底壁２３１に乗り上げる。このため、爪部材２０１がバックカバー８１の移動を妨げず、バックカバー８１はさらに前方向に移動させられる。
【０２５７】
図２５に示すように、バックカバー８１が前方向に進められると、バックカバー８１の係合孔２３７と、ホルダ２０３の挿通孔２２９が重なる。底壁２３１による爪部材２０１の支持が解消され、爪部材２０１は、バネ２０２によって収容位置Ｐａから突出位置Ｐｐに押し出される。
【０２５８】
突出位置Ｐｐに移動されられた爪部材２０１は、バックカバー８１の係合孔２３７に挿通される。これにより、爪部材２０１は、バックカバー８１がスタック部１７に対して後方向に移動することを制限し、プッシャ１８がスタック部１７に取り付けられた状態にする。
【０２５９】
以下、プッシャ１８がスタック部１７に取り付けられたときのバックカバー８１について説明する。爪部材２０１は、係合孔２３７からバックカバー８１の外部に突出する。言い換えると、爪部材２０１は、バックカバー８１の外部に露出する。このため、ユーザは、爪部材２０１が係合孔２３７に挿通されたことを目視で確認できる。
【０２６０】
爪２２１の支持面２２１ａは、バックカバー８１の底壁２３１の縁２３１ｂに接触する。なお、爪２２１の支持面２２１ａは、底壁２３１の縁２３１ｂから離間しても良いが、バックカバー８１がスタック部１７に対して後方向に移動するときには底壁２３１の縁２３１ｂに当接する。
【０２６１】
爪２２１の支持面２２１ａは、プッシャ１８がスタック部１７に対して後方向に移動しようとするときに、バックカバー８１の底壁２３１の縁２３１ｂを支持し、プッシャ１８の移動を制限する。言い換えると、爪２２１の支持面２２１ａは、プッシャ１８がスタック部１７の前端部１７ａからＸ軸に沿う方向に離間しようとするときに、バックカバー８１の底壁２３１の縁２３１ｂを支持する。
【０２６２】
爪２２１の第１の傾斜面２２１ｂは、少なくとも部分的に、バックカバー８１の外部に位置する。さらに、爪２２１の第２の傾斜面２２１ｃは、部分的にバックカバー８１の外部に位置する。
【０２６３】
ホルダ２０３の底壁２２７の底面２２７ａは、バックカバー８１の底壁２３１に面する。プッシャ１８がスタック部１７に対して上方向に移動しようとすると、ホルダ２０３の底壁２２７の底面２２７ａが、バックカバー８１の底壁２３１を支持する。
【０２６４】
バックカバー８１の底壁２３１は、Ｚ軸に沿う正方向から、スタック部１７の少なくとも一部を覆う。例えば、底壁２３１は、下方向から、ホルダ２０３を覆う。さらに、底壁２３１に設けられた係合孔２３７は、ホルダ２０３の底壁２２７に設けられた挿通孔２２９と重なり、連通する。
【０２６５】
バックカバー８１の上壁２３２は、スタック部１７の底壁２３１とは反対側に設けられ、Ｚ軸に沿う負方向から、スタック部１７の少なくとも一部を覆う。例えば、上壁２３２は、上方向から、レール５１の露出部５１ｂを覆う。
【０２６６】
図２４に示すように、バックカバー８１のリブ２３５は、スタック部１７の底壁２３１とは反対側に設けられるとともに、Ｚ軸に沿う方向において、上壁２３２よりもスタック部１７に近い。言い換えると、リブ２３５は、上壁２３２とスタック部１７との間に位置する。
【０２６７】
リブ２３５の第１の縁面２３５ａは、スタッカ５３の側壁２１６の、Ｚ軸に沿う負方向の端部２１６ａに面する。プッシャ１８がスタック部１７に対して下方向に移動しようとすると、スタッカ５３の側壁２１６の端部２１６ａが、リブ２３５の第１の縁面２３５ａを支持する。
【０２６８】
バックカバー８１の底壁２３１とリブ２３５の第１の縁面２３５ａとは、スタック部１７に接触し、又は僅かな隙間を介して、スタック部１７を保持する。これにより、バックカバー８１が、スタック部１７に対してＺ軸に沿う方向に移動することが制限される。
【０２６９】
リブ２３５の第２の縁面２３５ｂは、レール５１の横部２１２に面する。第２の縁面２３５ｂとレール５１との間の距離は、第１の縁面２３５ａとスタッカ５３との間の距離よりも長い。このため、プッシャ１８がスタック部１７に対して下方向に移動しようとするとき、リブ２３５の第２の縁面２３５ｂは、レール５１に接触しない。なお、第２の縁面２３５ｂがレール５１を支持しても良い。
【０２７０】
バックカバー８１の側壁２３３は、例えば、スタック部１７のスタッカ５３の側壁２１６に接触し、又は僅かな隙間を介して、スタック部１７を保持する。これにより、バックカバー８１が、スタック部１７に対してＹ軸に沿う方向に移動することが制限される。
【０２７１】
以上説明したプッシャ１８は、例えば以下のように、スタック部１７から取り外される。まず、ユーザによって、突出位置Ｐｐにある爪部材２０１が、収容位置Ｐａに向かって上方向に押される。
【０２７２】
図２８は、第２の実施形態のスタック部１７の一部と、スタック部１７から取り外し途中のプッシャ１８の一部とを示す例示的な断面図である。図２８に示すように、爪部材２０１が上方向に押されると、爪２２１の支持面２２１ａは、バックカバー８１の底壁２３１の縁２３１ｂから外れ、ホルダ２０３の内部に配置される。本実施形態において、支持面２２１ａは、ホルダ２０３の外部に位置せずにホルダ２０３の内部又はホルダ２０３の挿通孔２２９の内部に位置すれば、ホルダ２０３の内部に位置すると定義される。
【０２７３】
爪２２１の支持面２２１ａがホルダ２０３の内部に配置されると、支持面２２１ａによるバックカバー８１の底壁２３１の縁２３１ｂの支持が解除される。このとき、例えば、プッシャ部８２の押バネ９７がリング１２や受け壁７３を押すことにより、又はユーザの手の動きにより、バックカバー８１がスタック部１７に対して後方向に僅かに移動する。
【０２７４】
バックカバー８１がスタック部１７に対して後方向に移動すると、爪部材２０１がバネ２０２に押され、爪２２１の第１の傾斜面２２１ｂが、バックカバー８１の底壁２３１の縁２３１ｂに接触する。爪２２１の第１の傾斜面２２１ｂは、底壁２３１の縁２３１ｂに、前方向に押す力と、下方向に押す力とを作用させる。
【０２７５】
例えば、ユーザがバックカバー８１をさらに後方向に移動させないとき、バネ２０２に押された爪部材２０１は、第１の傾斜面２２１ｂで底壁２３１の縁２３１ｂを押し、バックカバー８１が前方向に戻す。言い換えると、爪部材２０１の第１の傾斜面２２１ｂは、爪部材２０１がバネ２０２によって押されることで、バックカバー８１がスタック部１７の前端部１７ａへＸ軸に沿う方向に近づくように、底壁２３１の縁２３１ｂを押す。バックカバー８１が前方向に戻されると、爪部材２０１は、バネ２０２に押され、突出位置Ｐｐに戻される。
【０２７６】
一方、ユーザがバックカバー８１をさらに後方向に移動させると、バックカバー８１の底壁２３１の縁２３１ｂが、爪部材２０１を上方向に押す。これにより、爪部材２０１は収容位置Ｐａに移動させられる。収容位置Ｐａに位置する爪部材２０１は、バックカバー８１の底壁２３１に支持される。このため、爪部材２０１がバックカバー８１の移動を妨げず、バックカバー８１はさらに後方向に移動させられる。
【０２７７】
図２６に示すように、バックカバー８１がさらに後方向に移動させられると、バックカバー８１の底壁２３１の前縁部２３１ａが、爪部材２０１よりも後方向に配置される。底壁２３１による爪部材２０１の支持が解消され、爪部材２０１は、バネ２０２によって収容位置Ｐａから突出位置Ｐｐに押し出される。
【０２７８】
バックカバー８１がさらに後方向に移動させられることで、スタック部１７は、バックカバー８１の収容口８３の外部に出る。プッシャ部８２がスタック部１７から取り出されることで、プッシャ１８は、スタック部１７から取り外される。
【０２７９】
以上説明された第２の実施形態のリング装着装置１０において、プッシャ１８がスタック部１７に取り付けられたときに、爪部材２０１が、係合孔２３７からバックカバー８１の外部に突出する。これにより、爪部材２０１が係合孔２３７に挿通され、プッシャ１８がスタック部１７に完全に取り付けられているか否かが、バックカバー８１の外部から確認可能となる。これにより、プッシャ１８が不意にスタック部１７から外れることが抑制される。さらに、ユーザがプッシャ１８とスタック部１７との取付状態を確認するために、プッシャ１８を引っ張ったりすることが抑制される。これにより、爪部材２０１のようなリング装着装置１０の一部が損傷することが抑制される。
【０２８０】
爪部材２０１の支持面２２１ａは、プッシャ１８がスタック部１７の前端部１７ａからＸ軸に沿う方向に離間しようとするときにバックカバー８１の縁２３１ｂを支持する。これにより、プッシャ１８が不意にスタック部１７から外れることが抑制される。
【０２８１】
第１の傾斜面２２１ｂは、バックカバー８１の縁２３１ｂに接触するときに、爪部材２０１がバネ２０２によって押されることで、プッシャ１８がスタック部１７の前端部１７ａへＸ軸に沿う方向に近づくよう縁２３１ｂを押す。このため、プッシャ１８がスタック部１７から取り外される場合、爪部材２０１がレール５１へＺ軸に沿う方向に近づくよう押し込まれるのみならず、バックカバー８１の縁２３１ｂが第１の傾斜面２２１ｂから完全に外れるまでプッシャ１８がスタック部１７の前端部１７ａからＸ軸に沿う方向に離間させられることで、爪部材２０１と係合孔２３７との係合が解除される。すなわち、爪部材２０１がＺ軸に沿う方向に押し込まれることと、プッシャ１８がＸ軸に沿う方向に所定の距離を移動させられることと、の少なくとも二動作によって、爪部材２０１と係合孔２３７との係合が解除される。これにより、プッシャ１８が不意にスタック部１７から外れることが抑制される。
【０２８２】
バックカバー８１は、プッシャ１８がスタック部１７から取り外されるとともにバックカバー８１が爪部材２０１よりもスタック部１７の前端部１７ａからＸ軸に沿う方向に離間した状態で、スタック部１７の前端部１７ａへＸ軸に沿う方向に近づくとき、爪部材２０１がレール５１へＺ軸に沿う方向に近づくように第２の傾斜面２２１ｃを押すよう構成される。これにより、ユーザが指で爪部材２０１をＺ軸に沿う方向に押し込むことなく、爪部材２０１がバックカバー８１によってＺ軸に沿う方向に押し込まれる。これにより、プッシャ１８を容易にスタック部１７に取り付けることが可能となる。
【０２８３】
突出位置Ｐｐに位置する爪部材２０１を支持するホルダ２０３は、プッシャ１８がスタック部１７に取り付けられた状態でバックカバー８１に面する底面２２７ａと、底面２２７ａと後端部１７ｂとを接続するガイド面２２７ｂと、を有する。ガイド面２２７ｂは、Ｘ軸に沿う方向において後端部１７ｂから前端部１７ａに向かうに従ってＺ軸に沿う方向において底面２２７ａに近づく。このため、ガイド面２２７ｂは、バックカバー８１の底壁２３１を後端部１７ｂから底面２２７ａに滑らかに案内することができる。従って、プッシャ１８をスタック部１７に容易に取り付けることが可能となる。
【０２８４】
バックカバー８１のリブ２３５は、スタック部１７の底壁２３１とは反対側に設けられて、Ｚ軸に沿う方向において上壁２３２よりもスタック部１７に近い位置でスタック部１７に面する。言い換えると、リブ２３５は、同じ方向からスタック部１７を覆う上壁２３２よりも近い位置で、スタック部１７に面する。これにより、バックカバー８１がスタック部１７に対してＺ軸に沿う方向に移動しようとすると、底壁２３１又はリブ２３５がスタック部１７に当接し、バックカバー８１とスタック部１７との相対的な移動が抑制される。これにより、プッシャ１８がスタック部１７に安定的に取り付けられる。
【０２８５】
Ｘ軸に沿う方向において、爪部材２０１と後端部１７ｂとの間の距離は、爪部材２０１と第２の軸４７との間の距離よりも長い。すなわち、爪部材２０１は、第２の軸４７の比較的近傍に設けられる。これにより、爪部材２０１を操作する力によってスタック部１７に大きなモーメントが作用し、当該スタック部１７が変形すること、が抑制される。
【０２８６】
底壁２３１の前縁部２３１ａは、上壁２３２の前縁部２３２ａよりもスタック部１７の前端部１７ａに近い。これにより、係合孔２３７が設けられる底壁２３１を上壁２３２よりも長くすることができ、係合孔２３７及び爪部材２０１を配置する設計の自由度が向上する。さらに、係合孔２３７及び爪部材２０１を配置するためにリング装着装置１０の長さが長くなることが抑制される。
【０２８７】
バネ２０２は、金属によって作られたバネである。これにより、バネ２０２が例えば合成樹脂によって作られる場合に比べ、バネ２０２が損傷することが抑制される。
【０２８８】
図２９は、第２の実施形態の変形例に係るリング装着装置１０を示す例示的な側面図である。図２９に示すように、係合孔２３７は、バックカバー８１の側壁２３３に設けられても良い。
【０２８９】
この場合、ホルダ２０３の挿通孔２２９は、ホルダ２０３の一方の側壁２２６に設けられる。バネ２０２が他方の側壁２２６と爪部材２０１との間に位置し、爪部材２０１の当接壁２２２が一方の側壁２２６に支持される。
【０２９０】
第２の実施形態の変形例に係るリング装着装置１０によれば、レバー１９が回動する方向と交差（直交）する方向に、爪部材２０１が移動可能である。このため、ユーザがレバー１９の操作に伴って、爪部材２０１を誤って操作することが抑制される。
【０２９１】
以上、本発明の実施形態および変形例を例示したが、上記実施形態および変形例は一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また、各実施形態や各変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。
【０２９２】
例えば、連動機構の構成や配置、回転中心の配置、第１の可動部、第２の可動部、および操作部等の移動経路および区間等は、適宜に変更可能である。また、操作部や、可動部、支持部等は、いずれも円弧状に移動したが、直線状に移動してもよい。また、操作部や、可動部、支持部等は、手動によらず、アクチュエータによって動くものであってもよい。また、リング装着装置は、可搬型のものには限定されず、機械に組み込まれるようなものであってもよい。また、装着の対象となるリングは、Ｃリング等の他のリングであってもよいし、リングが装着される棒状部材も他の形状であってもよい。
【符号の説明】
【０２９３】
１０…リング装着装置、１１…棒状部材、１２…リング、１４…下フレーム（支持部の一例）、１６…上フレーム（可動部の一例）、１７…スタック部、１７ａ…前端部（第１の端部の一例）、１７ｂ…後端部（第２の端部の一例）、１８…プッシャ（押圧部の一例）、４３…押板、４３ｂ…押部、５１…レール、５１ａ…被覆部（第１の部分の一例）、５１ｂ…露出部（第２の部分の一例）、５３…スタッカ（第１のカバーの一例）、５４…ステー（接続部材の一例）、５６…第１のレール部材（第１の部材の一例）、５７…第２のレール部材（第２の部材の一例）、６１…第１の保持壁（第１の基部の一例）、６２…第１のガイド（ガイド及び第１の挿入部の一例）、６３…第１の側壁（第１の基部の一例）、６５…第２の保持壁（第２の基部の一例）、６６…第２のガイド（ガイド及び第２の挿入部の一例）、６７…第２の側壁（第２の基部の一例）、７３…受け壁、７６…第１の取付壁、７７…第２の取付壁、７８…接続壁、７８ａ…挿通孔（第１の嵌合部の一例）、８１…バックカバー（第２のカバーの一例）、８２…プッシャ部（付勢部の一例）、８３…収容口、８５…カバー部材、８５ａ…内面、８５ｂ…外面、８６…嵌合部材（第２の嵌合部の一例）、８７…開口、９４…ボタン部、９４ａ…表面、９５…ロッド、９６…ブロック（移動部材の一例）、９６ａ…挿通部、９６ｂ…接触部、９６ｃ…孔、９７…押バネ（付勢部材の一例）、１１１…周面、１１２…溝、１１３…端面、１２１…弧状部、１２２…端部、１２３…隙間、２０１…爪部材（係合部の一例）、２０２…バネ（係合付勢部の一例）、２０３…ホルダ（第３のカバーの一例）、２１５…底壁（基部の一例）、２２１…爪、２２１ａ…支持面、２２１ｂ…第１の傾斜面、２２１ｃ…第２の傾斜面、２２７…底壁、２２７ａ…底面（第１の面の一例）、２２７ｂ…ガイド面（第２の面の一例）、２２９…挿通孔（第２の孔の一例）、２３１…底壁（第１の壁の一例）、２３１ａ…前縁部（第３の縁部の一例）、２３１ｂ…縁（第１の縁部の一例）、２３２…上壁（第２の壁の一例）、２３２ａ…前縁部（第２の縁部の一例）、２３５…リブ（第３の壁の一例）、２３７…係合孔（第１の孔の一例）、Ｐｐ…突出位置、Ｐａ…収容位置。
【図１】
2017193042.tif 000003
【図２】
2017193042.tif 000004
【図３】
2017193042.tif 000005
【図４】
2017193042.tif 000006
【図５】
2017193042.tif 000007
【図６】
2017193042.tif 000008
【図７】
2017193042.tif 000009
【図８】
2017193042.tif 000010
【図９】
2017193042.tif 000011
【図１０】
2017193042.tif 000012
【図１１】
2017193042.tif 000013
【図１２】
2017193042.tif 000014
【図１３】
2017193042.tif 000015
【図１４】
2017193042.tif 000016
【図１５】
2017193042.tif 000017
【図１６】
2017193042.tif 000018
【図１７】
2017193042.tif 000019
【図１８】
2017193042.tif 000020
【図１９】
2017193042.tif 000021
【図２０】
2017193042.tif 000022
【図２１】
2017193042.tif 000023
【図２２】
2017193042.tif 000024
【図２３】
2017193042.tif 000025
【図２４】
2017193042.tif 000026
【図２５】
2017193042.tif 000027
【図２６】
2017193042.tif 000028
【図２７】
2017193042.tif 000029
【図２８】
2017193042.tif 000030
【図２９】
2017193042.tif 000031